(57)【要約】【課題】画像形成装置に画像形成出力を実行させる場合において、印刷物に対するセキュリティを確保しつつ利用者の待ち時間を短縮させること。【解決手段】施錠可能な転写紙収容部に転写紙が収容されている状態において情報処理装置から送信された画像形成出力の命令を受信した場合に、前記転写紙収容部に収容されている転写紙を予め定められた一の収容部に移動させるように制御し、受信された前記画像形成出力の命令に基づいて画像形成部に画像形成出力を実行させ、画像形成出力の実行時、その画像形成出力の実行により画像が形成された転写紙を、収容していた前記転写紙が前記予め定められた一の収容部に移動されて空となった転写紙収容部に排紙するように制御する。【選択図】図３
2015039787.tif 000002
【特許請求の範囲】
【請求項１】
情報処理装置により生成されて送信された画像形成出力の命令に基づいて転写紙に画像を形成して、画像が形成された前記転写紙を施錠可能な転写紙収容部に排紙する画像形成装置であって、
前記情報処理装置から送信された前記画像形成出力の命令を受信する命令受信部と、
前記転写紙収容部に前記転写紙が収容されている状態において、受信された前記画像形成出力の命令に基づいて画像形成出力を実行する場合に、前記転写紙収容部に収容されている前記転写紙を予め定められた一の収容部に移動させるように制御する転写紙移動制御部と、
受信された前記画像形成出力の命令に基づいて画像形成部に画像形成出力を実行させる画像形成制御部と、
画像形成出力の実行時、その画像形成出力の実行により画像が形成された前記転写紙を、収容していた前記転写紙が前記予め定められた一の収容部に移動されて空となった前記転写紙収容部に排紙するように制御する転写紙排紙制御部と、
を備えることを特徴とする画像形成装置。
【請求項２】
前記転写紙収容部の施錠及び開錠の制御を行う施錠制御部と、
利用者を識別する利用者識別部と、
識別された前記利用者が、前記転写紙収容部に収容されている前記転写紙に対して実行された画像形成出力の命令を前記情報処理装置に生成させて送信させた利用者であるか否かを判断する利用者判断部と、
を備え、
前記施錠制御部は、認証された前記利用者が、前記転写紙収容部に収容されている前記転写紙に対して実行された画像形成出力の命令を前記情報処理装置に生成さて送信させた利用者であると判断された場合に、前記転写紙収容部を開錠するように制御することを特徴とする請求項１に記載の画像形成装置。
【請求項３】
受信された前記画像形成出力の命令を記憶部に記憶させる命令記憶制御部と、
開錠された前記転写紙収容部から前記転写紙が取り出されたことを検知する取出検知部と、
を備え、
前記命令記憶制御部は、前記転写紙収容部に前記転写紙が収容されている状態において、開錠された前記転写紙収容部から前記転写紙が取り出されたことが検知された場合に、取り出された前記転写紙に対して実行された画像形成出力の命令を前記記憶部から削除し、
前記画像形成制御部は、前記転写紙収容部に前記転写紙が収容されている状態において、開錠された前記転写紙収容部から前記転写紙が取り出されたことが検知された場合に、前記記憶部に記憶されている前記画像形成出力の命令であって、前記予め定められた一の収容部に移動された前記転写紙に対して実行された前記画像形成出力の命令に基づいて前記画像形成部に画像形成出力を実行させ、
前記転写紙排紙制御部は、前記記憶部に記憶されている前記画像形成出力の命令のうち、前記予め定められた一の収容部に移動された前記転写紙に対して実行された前記画像形成出力の命令に基づく画像形成出力の実行時、その画像形成出力の実行により画像が形成された前記転写紙を、前記転写紙が取り出されたことが検知された前記転写紙収容部に排紙するように制御することを特徴とする請求項１又は２に記載の画像形成装置。
【請求項４】
前記画像形成制御部は、前記転写紙収容部に前記転写紙が収容されている状態において、開錠された前記転写紙収容部から前記転写紙が取り出されたことが検知された場合に、前記記憶部に記憶されている前記画像形成出力の命令であって、前記予め定められた一の収容部に移動された前記転写紙に対して実行された複数の前記画像形成出力の命令からいずれかの前記画像形成出力の命令を所定の規則に基づいて選択し、選択された前記画像形成出力の命令に基づいて前記画像形成部に画像形成出力を実行させ、
前記転写紙排紙制御部は、選択された前記画像形成出力の命令に基づく画像形成出力の実行時、その画像形成出力の実行により画像が形成された前記転写紙を、前記転写紙が取り出されたことが検知された前記転写紙収容部に排紙するように制御することを特徴とする請求項３に記載の画像形成装置。
【請求項５】
前記画像形成制御部は、前記転写紙収容部に前記転写紙が収容されている状態において、開錠された前記転写紙収容部から前記転写紙が取り出されたことが検知された場合に、前記記憶部に記憶されている前記画像形成出力の命令であって、前記予め定められた一の収容部に移動された前記転写紙に対して実行された複数の前記画像形成出力の命令からいずれかの前記画像形成出力の命令を、前記予め定められた一の収容部に移動された前記転写紙の枚数、利用者毎に定められた利用者の属性、前記予め定められた一の収容部に移動された日時の少なくとも何れかに基づいて選択し、選択された前記画像形成出力の命令に基づいて前記画像形成部に画像形成出力を実行させることを特徴とする請求項３又は４に記載の画像形成装置。
【請求項６】
前記転写紙移動制御部は、複数存在する前記転写紙収容部の全てに前記転写紙が収容されている状態において、受信された前記画像形成出力の命令に基づいて画像形成出力を実行する場合に、前記転写紙を収容している複数の前記転写紙収容部からいずれかの前記転写紙収容部を所定の規則に基づいて選択し、選択された前記転写紙収容部に収容されている前記転写紙を前記予め定められた一の収容部に移動させるように制御することを特徴とする請求項１乃至５いずれか１項に記載の画像形成装置。
【請求項７】
前記転写紙移動制御部は、複数存在する前記転写紙収容部の全てに前記転写紙が収容されている状態において、受信された前記画像形成出力の命令に基づいて画像形成出力を実行する場合に、前記転写紙を収容している複数の前記転写紙収容部からいずれかの前記転写紙収容部を、収容している前記転写紙の枚数、利用者毎に定められた利用者の属性、収容している前記転写紙に対して実行された前記画像形成出力の命令の実行日時の少なくとも何れかに基づいて選択し、選択された前記転写紙収容部に収容されている前記転写紙を前記予め定められた一の収容部に移動させるように制御することを特徴とする請求項１乃至６いずれか１項に記載の画像形成装置。
【請求項８】
前記転写紙収容部に収容されている前記転写紙が移動された場合に、移動された前記転写紙に対して実行された画像形成出力の命令を前記情報処理装置に生成させて送信させた利用者に、前記転写紙が移動された旨を通知する移動通知部を備えることを特徴とする請求項１乃至７いずれか１項に記載の画像形成装置。
【請求項９】
情報処理装置により生成されて送信された画像形成出力の命令に基づいて転写紙に画像を形成して、画像が形成された前記転写紙を施錠可能な転写紙収容部に排紙する画像形成装置の制御プログラムであって、
前記情報処理装置から送信された前記画像形成出力の命令を受信するステップと、
前記転写紙収容部に前記転写紙が収容されている状態において、受信された前記画像形成出力の命令に基づいて画像形成出力を実行する場合に、前記転写紙収容部に収容されている前記転写紙を予め定められた一の収容部に移動させるように制御するステップと、
受信された前記画像形成出力の命令に基づいて画像形成部に画像形成出力を実行させるステップと、
画像形成出力の実行時、その画像形成出力の実行により画像が形成された前記転写紙を、収容していた前記転写紙が前記予め定められた一の収容部に移動されて空となった前記転写紙収容部に排紙するように制御するステップと、
を画像形成装置に実行させることを特徴とする画像形成装置の制御プログラム。
【請求項１０】
情報処理装置により生成されて送信された画像形成出力の命令に基づいて転写紙に画像を形成して、画像が形成された前記転写紙を施錠可能な転写紙収容部に排紙する画像形成装置の制御方法であって、
前記情報処理装置から送信された前記画像形成出力の命令を受信し、
前記転写紙収容部に前記転写紙が収容されている状態において、受信された前記画像形成出力の命令に基づいて画像形成出力を実行する場合に、前記転写紙収容部に収容されている前記転写紙を予め定められた一の収容部に移動させるように制御し、
受信された前記画像形成出力の命令に基づいて画像形成部に画像形成出力を実行させ、
画像形成出力の実行時、その画像形成出力の実行により画像が形成された前記転写紙を、収容していた前記転写紙が前記予め定められた一の収容部に移動されて空となった前記転写紙収容部に排紙するように制御することを特徴とする画像形成装置の制御方法。
【発明の詳細な説明】
【技術分野】
【０００１】
本発明は、画像形成装置、画像形成装置の制御プログラム及び画像形成装置の制御方法に関し、特に、画像形成装置における画像形成出力の制御方法に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能な複合機として構成されることが多い。
【０００３】
このような複合機を複数の利用者が共有して利用する状況を想定した場合、不特定多数の者に無断で利用されることを避けるために、予め複合機本体や複合機に接続されたネットワーク上のサーバ等に利用者を登録しておき、登録された利用者のみが利用することができるようになっていることが好ましい。そこで、利用者は、このような予め利用者が登録された複合機を利用する場合にはその利用に先だって、予め登録された利用者であることを複合機に認証させるための利用者認証を行ってその認証を得なければ利用することができないようになっている。
【０００４】
そのため、このような複合機のうち、文書ファイル等の電子化された情報（以下、「印刷対象データ」とする）の出力に用いられる画像形成装置を動作させて画像形成出力を実行させる場合、利用者は、ＰＣ（Ｐｅｒｓｏｎａｌ  Ｃｏｍｐｕｔｅｒ）等の情報処理端末に印刷対象データに基づく印刷ジョブを生成させ、生成させた印刷ジョブを上記画像形成装置に送信した後、画像形成装置まで行って利用者認証を行うようになっている。そして、画像形成装置は、上記利用者の利用者認証を行った結果、予め登録された利用者であることを認証すると、その利用者により送信された印刷ジョブに基づいて画像形成出力を実行するようになっている。
【０００５】
このように、予め利用者が登録された複合機を画像形成装置として利用する場合、画像形成装置は、利用者認証によって予め登録された利用者であることを認証して初めて画像形成出力を実行するようになっている。
【０００６】
従って、利用者は、このような画像形成装置を利用する場合、画像形成装置に到着して利用者認証を行った後、画像形成出力が完了するまでその場で待たなければならず、利用者にとって利便性が非常に悪いものとなる。反対に、利用者を待たせないようすることで利用者に対する利便性を向上させるためには、印刷ジョブを受信すると画像形成装置はすぐに画像形成出力を実行するようにすれば良いが、これでは、印刷ジョブを送信した利用者が画像形成装置に到着する前に他人が印刷物を盗み見したり、持ち去ったりすることができてしまうためセキュリティ上好ましくない。このように、従来の画像形成装置においては、セキュリティと利便性とはトレードオフの関係であり、一方を追求すればもう一方は犠牲となってしまう。
【０００７】
そこで、セキュリティと利便性とを両立させるために、排紙された印刷物を収容する施錠可能な排紙ＢＯＸを複数備える画像形成装置が提案され既に知られている（例えば、特許文献１参照）。このような施錠可能な排紙ＢＯＸを複数備える画像形成装置は、印刷ジョブを受信するとすぐにその印刷ジョブに基づく画像形成出力を実行するが、その際の印刷物を印刷ジョブ毎に別々の施錠可能な排紙ＢＯＸに振り分けて排紙するようにして画像形成出力を実行する。
【０００８】
また、このような施錠可能な排紙ＢＯＸを複数備える画像形成装置は、利用者認証によって予め登録された利用者であることを認証すると、その利用者により送信された印刷ジョブに基づく印刷物を収容している排紙ＢＯＸの施錠を解除し、その時点で初めて利用者が排紙ＢＯＸから自身の印刷物を取り出すことが可能なようになっている。そのため、このような施錠可能な排紙ＢＯＸを複数備える画像形成装置においては、印刷ジョブを受信してすぐに画像形成出力を実行しても他人が印刷物を盗み見したり、持ち去ったりすることができないため、セキュリティが確保される上に利用者を待たせることがなく、セキュリティと利便性とを両立させることが可能となる。
【０００９】
ところで、このような施錠可能な排紙ＢＯＸを複数備える画像形成装置は、それらの全てに印刷物を収容している状態において新たに印刷ジョブを受信した場合、それ以上、施錠可能な排紙ＢＯＸに印刷物を排紙することができなくなってしまう。そこで、施錠可能な排紙ＢＯＸを複数備える画像形成装置のうち、施錠可能な排紙ＢＯＸの全てに印刷物を収容している状態において新たに印刷ジョブを受信した場合、利用者認証を行ってから画像形成出力を実行し、施錠機能の無い排紙トレイにその印刷ジョブに基づく印刷物を排紙する画像形成装置が提案され既に知られている（例えば、特許文献２参照）。
【発明の概要】
【発明が解決しようとする課題】
【００１０】
ところが、利用者は、特許文献２に記載されている画像形成装置を利用する場合、施錠可能な排紙ＢＯＸの全てに印刷物が収容されていると、画像形成装置に到着して利用者認証を行った後、画像形成出力が完了するまでその場で待たなければならないため、セキュリティは確保されるが、利用者にとって利便性が非常に悪くなるといった問題がある。
【００１１】
反対に、施錠可能な排紙ＢＯＸの全てに印刷物が収容されている場合であっても、利用者を待たせないようすることで利用者に対する利便性を向上させるためには、印刷ジョブを受信すると画像形成装置はすぐに施錠機能の無い排紙トレイに排紙することで画像形成出力を実行するようにすれば良いが、上述したように、これでは、印刷ジョブを送信した利用者が画像形成装置に到着する前に他人が印刷物を盗み見したり、持ち去ったりすることができてしまう。
【００１２】
本発明は、このような課題を解決するためになされたものであり、画像形成装置に画像形成出力を実行させる場合において、印刷物に対するセキュリティを確保しつつ利用者の待ち時間を短縮させることを目的とする。
【課題を解決するための手段】
【００１３】
上記課題を解決するために、情報処理装置により生成されて送信された画像形成出力の命令に基づいて転写紙に画像を形成して、画像が形成された前記転写紙を施錠可能な転写紙収容部に排紙する画像形成装置であって、前記情報処理装置から送信された前記画像形成出力の命令を受信する命令受信部と、前記転写紙収容部に前記転写紙が収容されている状態において、受信された前記画像形成出力の命令に基づいて画像形成出力を実行する場合に、前記転写紙収容部に収容されている前記転写紙を予め定められた一の収容部に移動させるように制御する転写紙移動制御部と、受信された前記画像形成出力の命令に基づいて画像形成部に画像形成出力を実行させる画像形成制御部と、画像形成出力の実行時、その画像形成出力の実行により画像が形成された前記転写紙を、収容していた前記転写紙が前記予め定められた一の収容部に移動されて空となった前記転写紙収容部に排紙するように制御する転写紙排紙制御部と、を備えることを特徴とする。
【００１４】
また、本発明の他の態様は、情報処理装置により生成されて送信された画像形成出力の命令に基づいて転写紙に画像を形成して、画像が形成された前記転写紙を施錠可能な転写紙収容部に排紙する画像形成装置の制御プログラムであって、前記情報処理装置から送信された前記画像形成出力の命令を受信するステップと、前記転写紙収容部に前記転写紙が収容されている状態において、受信された前記画像形成出力の命令に基づいて画像形成出力を実行する場合に、前記転写紙収容部に収容されている前記転写紙を予め定められた一の収容部に移動させるように制御するステップと、受信された前記画像形成出力の命令に基づいて画像形成部に画像形成出力を実行させるステップと、画像形成出力の実行時、その画像形成出力の実行により画像が形成された前記転写紙を、収容していた前記転写紙が前記予め定められた一の収容部に移動されて空となった前記転写紙収容部に排紙するように制御するステップと、を画像形成装置に実行させることを特徴とする。
【００１５】
また、本発明の更に他の態様は、情報処理装置により生成されて送信された画像形成出力の命令に基づいて転写紙に画像を形成して、画像が形成された前記転写紙を施錠可能な転写紙収容部に排紙する画像形成装置の制御方法であって、前記情報処理装置から送信された前記画像形成出力の命令を受信し、前記転写紙収容部に前記転写紙が収容されている状態において、受信された前記画像形成出力の命令に基づいて画像形成出力を実行する場合に、前記転写紙収容部に収容されている前記転写紙を予め定められた一の収容部に移動させるように制御し、受信された前記画像形成出力の命令に基づいて画像形成部に画像形成出力を実行させ、画像形成出力の実行時、その画像形成出力の実行により画像が形成された前記転写紙を、収容していた前記転写紙が前記予め定められた一の収容部に移動されて空となった前記転写紙収容部に排紙するように制御することを特徴とする。
【発明の効果】
【００１６】
本発明によれば、画像形成装置に画像形成出力を実行させる場合において、印刷物に対するセキュリティを確保しつつ利用者の待ち時間を短縮させることができる。
【図面の簡単な説明】
【００１７】
【図１】本発明の実施形態に係る画像形成システムの運用形態の例を示す図である。
【図２】本発明の実施形態に係る情報処理装置のハードウェア構成を模式的に示すブロック図である。
【図３】本発明の実施形態に係る画像形成装置の機能構成を模式的に示すブロック図である。
【図４】本発明の実施形態に係る印刷情報の一例を示す図である。
【図５】本発明の実施形態に係る利用者リストの一例を示す図である。
【図６】本発明の実施形態に係る勤怠状況リストの一例を示す図である。
【図７】本発明の実施形態に係る排紙ＢＯＸリストの一例を示す図である。
【図８】本発明の実施形態に係る待機ジョブリストの一例を示す図である。
【図９】本発明の実施形態に係る実行ジョブリストの一例を示す図である。
【図１０】本発明の実施形態に係る排紙ＢＯＸ使用状況リストの一例を示す図である。
【図１１】本発明の実施形態に係る破棄ＢＯＸリストの一例を示す図である。
【図１２】本発明の実施形態に係る破棄処理プログラムリストの一例を示す図である。
【図１３】本発明の実施形態に係る破棄処理プログラムの処理内容を説明するための図である。
【図１４】本発明の実施形態に係る再印刷処理プログラムリストの一例を示す図である。
【図１５】本発明の実施形態に係る再印刷処理プログラムの処理内容を説明するための図である。
【図１６】本発明の実施形態に係る画像形成装置が、排紙先を決定する際の処理を説明するためのフローチャートである。
【図１７】本発明の実施形態に係る画像形成装置が、施錠機能の無い排紙トレイに印刷物を排紙する際の処理を説明するためのフローチャートである。
【図１８】本発明の実施形態に係る画像形成装置が、施錠可能な排紙ＢＯＸに印刷物を排紙する際の処理を説明するためのフローチャートである。
【図１９】本発明の実施形態に係る破棄通知メールの内容の一例を示す図である。
【図２０】本発明の実施形態に係る排紙ＢＯＸに収容している印刷物が利用者により取り出される際の処理を説明するためのフローチャートである。
【図２１】本発明の実施形態に係る画像形成装置が、破棄ＢＯＸに破棄された印刷物についての印刷ジョブを再実行する際の処理を説明するためのフローチャートである。
【図２２】本発明の実施形態に係る画像形成装置が、クライアント端末から強制再印刷要求を受信した際の処理を説明するためのフローチャートである。
【図２３】本発明の実施形態に係る画像形成装置が、クライアント端末から放置要求を受信した際の処理を説明するためのフローチャートである。
【発明を実施するための形態】
【００１８】
以下、図面を参照して、本発明の実施形態を詳細に説明する。本実施形態においては、画像形成装置に対して画像形成出力の命令である印刷ジョブを送信するＰＣ（Ｐｅｒｓｏｎａｌ  Ｃｏｍｐｕｔｅｒ）やタブレット端末等のクライアント端末と、そのクライアント端末から送信されてきた印刷ジョブに基づいて描画情報を生成し、生成された描画情報に基づいて画像形成出力を実行する画像形成装置とにより構成される画像形成システムを例として説明する。
【００１９】
このような画像形成システムにおいて、本実施形態に係る画像形成装置は、予め登録された利用者しか利用することができず、利用者がこのような画像形成装置を利用する場合、利用者認証を行ってその認証を得なければ利用することができないように構成されている。
【００２０】
また、本実施形態に係る画像形成装置は、施錠可能な排紙ＢＯＸを複数備える。そして、本実施形態に係る画像形成装置は、印刷ジョブを受信するとすぐにその印刷ジョブに基づく画像形成出力を実行するが、その際の印刷物を印刷ジョブ毎に別々の施錠可能な排紙ＢＯＸに振り分けて排紙するようにして画像形成出力を実行する。
【００２１】
また、本実施形態に係る画像形成装置は、利用者認証によって印刷ジョブを送信した利用者であることを認証すると、その利用者の印刷ジョブによる印刷物を収容している排紙ＢＯＸの施錠を解除し、その時点で初めて利用者が排紙ＢＯＸから自身の印刷物を取り出すことが可能なように構成されている。
【００２２】
このように構成された画像形成装置において、本実施形態に係る要旨の一つは、施錠可能な排紙ＢＯＸの全てに印刷物が収容されている状態において新たに印刷ジョブを受信した場合、施錠可能な排紙ＢＯＸに収容されている印刷物を破棄ＢＯＸに破棄することで施錠可能な排紙ＢＯＸに空きをつくることにある。これにより、本実施形態に係る画像形成装置は、施錠可能な排紙ＢＯＸの全てに印刷物を収容している状態において新たに印刷ジョブを受信した場合であっても、すぐにその印刷ジョブを実行することができる上、その印刷ジョブによる印刷物を施錠可能な排紙ＢＯＸに排紙することができる。従って、本実施形態に係る画像形成装置によれば、画像形成出力を実行する場合において、印刷物に対するセキュリティを確保しつつ利用者の待ち時間を短縮させることが可能となる。
【００２３】
まず、本実施形態に係る画像形成システムの運用形態について、図１を参照して説明する。図１は、本実施形態に係る画像形成システムの運用形態の例を示す図である。図１に示すように、本実施形態に係る画像形成システムは、画像形成装置１、クライアント端末２、勤怠管理システム３が、インターネットやＬＡＮ（Ｌｏｃａｌ  Ａｒｅａ  Ｎｅｔｗｏｒｋ）等のネットワーク４を介して接続されて構成される。
【００２４】
画像形成装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。本実施形態に係る画像形成装置１は、オフィスや図書館、研究所、教育機関等の不特定多数の者が出入り可能な場所に設置されて利用されることを想定している。
【００２５】
そのため、本実施形態に係る画像形成装置１は、上述したように、不特定多数の者に無断で利用されることを避けるために、予め登録された利用者しか利用することができないように構成されてセキュリティを確保している。そして、利用者がこのような画像形成装置を利用する場合、利用者認証を行ってその認証を得なければ利用することができないように構成されている。本実施形態においては、特に、企業のオフィスに設置されている場合を想定しているが、これに限らない。
【００２６】
また、本実施形態に係る画像形成装置１は、施錠可能な排紙ＢＯＸを複数備え、印刷ジョブを受信するとすぐにその印刷ジョブに基づく画像形成出力を実行するが、その際の印刷物を印刷ジョブ毎に別々の施錠可能な排紙ＢＯＸに振り分けて排紙するようにして画像形成出力を実行する。
【００２７】
また、本実施形態に係る画像形成装置は、利用者認証によって印刷ジョブを送信した利用者であることを認証すると、その利用者の印刷ジョブによる印刷物を収容している排紙ＢＯＸの施錠を解除し、その時点で初めて利用者が排紙ＢＯＸから自身の印刷物を取り出すことが可能なように構成されている。
【００２８】
クライアント端末２は、ＰＣ、スマートフォン、タブレット端末、ＰＤＡ（Ｐｅｒｓｏｎａｌ  Ｄｉｇｉｔａｌ  Ａｓｓｉｓｔａｎｔｓ）等の情報処理端末である。このクライアント端末２は、画像形成装置１を利用するためのプリンタドライバがインストールされることにより、印刷出力の対象となる印刷対象データに基づいて、画像形成装置１に対して画像形成出力を実行させるための印刷ジョブを生成して送信する機能を有する。
【００２９】
ここで、本実施形態に係る印刷ジョブについて説明する。本実施形態に係る印刷ジョブには、ＰＤＬデータ等の画像情報以外に、その印刷ジョブに関する情報（以下、「印刷ジョブ情報」とする）及びその印刷ジョブをクライアント端末２に生成させた利用者に関する情報（以下、「印刷者情報」とする）が含まれる。
【００３０】
具体的には、本実施形態に係る印刷ジョブには、印刷ジョブ情報として、その印刷ジョブの印刷ジョブＩＤ、その印刷ジョブの印刷ジョブ名、その印刷ジョブを実行した際の印刷物の排紙先、印刷対象のファイル名、その印刷ジョブを実行した際に排紙される印刷物の印刷枚数、その印刷ジョブを画像形成装置１が受信したときの年月日、その印刷ジョブを画像形成装置１が受信したときの時刻、その印刷ジョブのデータサイズ等が含まれる。
【００３１】
また、本実施形態に係る印刷ジョブには、印刷者情報として、その印刷ジョブをクライアント端末２に生成させた利用者の利用者ＩＤ、その利用者の利用者名、その印刷ジョブを生成したクライアント端末２の端末名等が含まれる。
【００３２】
このような印刷ジョブ情報及び印刷者情報の一例を図４（ａ）、（ｂ）に示す。図４（ａ）、（ｂ）はそれぞれ、本実施形態に係る印刷ジョブ情報及び印刷者情報の一例を示す図である。図４（ａ）、（ｂ）に示すように、本実施形態に係る印刷ジョブ情報には、その印刷ジョブの印刷ジョブＩＤが「印刷ジョブＩＤ」欄に、その印刷ジョブの印刷ジョブ名が「印刷ジョブ名」欄に、その印刷ジョブを実行した際の印刷物の排紙先が「排紙先」欄に、印刷対象のファイル名が「印刷ファイル名」欄に、その印刷ジョブを実行した際に排紙される印刷物の印刷枚数が「印刷枚数」欄に、その印刷ジョブを画像形成装置１が受信したときの年月日が「受信年月日」欄に、その印刷ジョブを画像形成装置１が受信したときの時刻が「受信時刻」欄に、その印刷ジョブのデータサイズが「データサイズ」欄に登録される。
【００３３】
また、図４（ａ）、（ｂ）に示すように、本実施形態に係る印刷者情報には、その印刷ジョブをクライアント端末２に生成させた利用者の利用者ＩＤが「利用者ＩＤ」欄に、その利用者の利用者名が「利用者名」欄に、その印刷ジョブを生成したクライアント端末２の端末名が「端末名」欄に登録される。
【００３４】
図４（ａ）に示した例では、印刷ジョブａを実行した際の印刷物は施錠可能な排紙ＢＯＸに排紙され、図４（ｂ）に示した例では、印刷ジョブｂを実行した際の印刷物は施錠機能の無い排紙トレイに排紙されることになる。
【００３５】
勤怠管理システム３は、画像形成装置１の利用者の勤怠管理を行う。具体的には、勤怠管理システム３は、画像形成装置１の利用者の出社と退社と（以下、「勤怠状況」とする）を管理する。そして、このような勤怠管理システム３は、その勤怠状況を画像形成装置１に通知するように構成されている。勤怠状況を通知された画像形成装置１は、通知された勤怠状況を後述する勤怠状況リストに登録する。このようにして本実施形態に係る画像形成装置１は、勤怠管理システム３と連携して各利用者の勤怠状況を把握することができる。
【００３６】
次に、本実施形態に係る画像形成システムに含まれる画像形成装置１、クライアント端末２等の情報処理装置を構成するハードウェアについて、図２を参照して説明する。図２は、本実施形態に係る情報処理装置のハードウェア構成を模式的に示すブロック図である。
【００３７】
図２に示すように、本実施形態に係る情報処理装置は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。この他、画像形成装置１の場合、画像形成出力やスキャンを実行するエンジンが含まれる。
【００３８】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００３９】
Ｉ／Ｆ５０は、バス８０と各種のハードウェアやネットワーク等を接続し制御する。ＬＣＤ６０は、利用者が情報処理装置の状態を確認するための視覚的利用者インタフェースである。操作部７０は、キーボード、マウス、各種のハードボタン、タッチパネル等、利用者が情報処理装置に情報を入力するための利用者インタフェースである。
【００４０】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がそれらのプログラムに従って演算を行うことによりソフトウェア制御部が構成される。このようにして構成されたソフトウェア制御部と、ハードウェアとの組み合わせによって、本実施形態に係る画像形成システムを構成する各機器の機能を実現する機能ブロックが構成される。
【００４１】
次に、本実施形態に係る画像形成装置１の機能構成について、図３を参照して説明する。図３は、本実施形態に係る画像形成装置１の機能構成を模式的に示すブロック図である。尚、図３においては、電気的接続を実線の矢印で示しており、用紙若しくは文書束の流れを破線の矢印で示している。図３に示すように、本実施形態に係る画像形成装置１は、コントローラ１１０、エンジン１２０、記憶部１３０、ディスプレイパネル１４０、ネットワークＩ／Ｆ１５０、利用者認証Ｉ／Ｆ１６０を有する。
【００４２】
コントローラ１１０は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによってコントローラ１１０が構成される。コントローラ１１０は、画像形成装置１全体を制御する制御部として機能する。
【００４３】
このように構成されたコントローラ１１０はさらに、印刷制御部１１１、画像処理部１１２を含む。印刷制御部１１１は、コントローラ１１０に含まれる各部を制御する役割を担い、コントローラ１１０の各部に命令を与える。画像処理部１１２は、印刷制御部１１１の制御に従い、入力された印刷ジョブに基づいて描画情報を生成する。この描画情報とは、ＣＭＹＫ（Ｃｙａｎ  Ｍｇｅｎｔａ  Ｙｅｌｌｏｗ  Ｋｅｙ  Ｐｌａｔｅ）のビットマップデータ等のデータであり、画像形成部であるプロッタユニット１２３が画像形成動作において形成すべき画像を描画するための情報である。
【００４４】
また、画像処理部１１２は、スキャナユニット１２８により生成された読取画像データを処理して、画像データを生成する。この画像データとは、スキャナ動作の結果物として画像形成装置１に格納され若しくはネットワークＩ／Ｆ１５０及びネットワーク４を介して他の機器に送信される情報である。
【００４５】
エンジン１２０は、スキャナ機能や画像形成機能を実現するための動作部である。本実施形態に係るエンジン１２０は、エンジン制御部１２１、給紙トレイ１２２、プロッタユニット１２３、排紙トレイ１２４、排紙ＢＯＸ１２５、破棄ＢＯＸ１２６、ＡＤＦ（Ａｕｔｏ  Ｄｏｃｕｍｅｎｎｔ  Ｆｅｅｄｅｒ：原稿自動搬送装置）１２７、スキャナユニット１２８、排紙トレイ１２９を含む。
【００４６】
エンジン制御部１２１は、エンジン１２０に含まれる各部を制御する役割を担い、エンジン１２０の各部に命令を与える。即ち、本実施形態においては、エンジン制御部１２１が、画像形成制御部及び転写紙排紙制御部として機能する。
【００４７】
給紙トレイ１２２は、印刷前の用紙を収容している。そして、給紙トレイ１２２に収容されている用紙は、画像形成時にプロッタユニット１２３に搬送される。プロッタユニット１２３は、入力された描画情報に基づいて、給紙トレイ１２２から搬送される用紙に対して画像形成出力を実行する画像形成部であり、画像が形成された印刷物を排紙トレイ１２４若しくは排紙ＢＯＸ１２５に排紙する。本実施形態に係るプロッタユニット１２３は、排紙ＢＯＸ１２５に排紙する際には、印刷ジョブ毎に別々の排紙ＢＯＸ１２５に振り分けるようにして排紙する。プロッタユニット１２３の具体的態様としては、インクジェット方式による画像形成機構や電子写真方式による画像形成機構等を用いることが可能である。
【００４８】
排紙トレイ１２４は、プロッタユニット１２３から排紙された印刷物を蓄積するためのトレイであって、後述する排紙ＢＯＸ１２５とは異なり施錠機構がない。排紙ＢＯＸ１２５は、プロッタユニット１２３から排紙された印刷物を収容し、図３に示すように、排紙ＢＯＸ１２５−１〜１２５−Ｘの複数個が存在する。本実施形態に係る排紙ＢＯＸ１２５−１〜１２５−Ｘはそれぞれ独立した施錠機構を備えており、収容されている印刷物を取り出すための利用者認証が行われない限りは開錠されない。即ち、本実施形態においては、排紙ＢＯＸ１２５−１〜１２５−Ｘが転写紙収容部として機能する。
【００４９】
従って、本実施形態に係る画像形成装置１は、利用者認証によって予め登録された利用者であることを認証すると、その利用者により送信された印刷ジョブに基づく印刷物を収容している排紙ＢＯＸ１２５の施錠を解除するように構成されている。そして、利用者は、その時点で初めて自身の印刷物を、開錠された排紙ＢＯＸ１２５から取り出すことが可能となる。
【００５０】
破棄ＢＯＸ１２６は、画像形成装置１が、排紙ＢＯＸ１２５−１〜１２５−Ｘの全てに印刷物を収容している状態で新たに印刷ジョブを実行する場合において、排紙ＢＯＸ１２５に収容している印刷物を破棄するためのＢＯＸである。これにより、本実施形態に係る画像形成装置１は、排紙ＢＯＸ１２５−１〜１２５−Ｘの全てに印刷物を収容している状態で新たに印刷ジョブを実行する場合であっても、排紙ＢＯＸ１２５に空きをつくることができる。尚、本実施形態に係る破棄ＢＯＸ１２６は、排紙ＢＯＸ１２５と同様に施錠機構を備えている。
【００５１】
これにより、本実施形態に係る画像形成装置１は、施錠可能な排紙ＢＯＸ１２５の全てに印刷物を収容している状態において新たに印刷ジョブを受信した場合であっても、すぐにその印刷ジョブを実行することができる上、その印刷ジョブによる印刷物を施錠可能な排紙ＢＯＸ１２５に排紙することができる。従って、本実施形態に係る画像形成装置１によれば、画像形成出力を実行する場合において、印刷物に対するセキュリティを確保しつつ利用者の待ち時間を短縮させることが可能となる。このような処理が本実施形態に係る要旨の一つである。
【００５２】
ＡＤＦ１２７は、セットされた原稿をスキャナユニット１２８に搬送し、スキャナユニット１２８により読み取られた原稿を排紙トレイ１２９に排紙する。スキャナユニット１２８は、光学情報を電気信号に変換する光電変換素子を含み、原稿を光学的に走査して読み取って読取画像データを生成する画像読取装置である。
【００５３】
記憶部１３０は、図２に示したＨＤＤ４０やＮＶＲＡＭ（Ｎｏｎ  ｖｏｌａｔｉｌｅ  Ｒａｎｄｏｍ  Ａｃｃｅｓｓ  Ｍｅｍｏｒｙ）等の不揮発性の記憶媒体により実現され、後述するような、利用者リスト、排紙ＢＯＸリスト、待機ジョブリスト、実行ジョブリスト、排紙ＢＯＸ使用状況リスト、破棄ジョブリスト、破棄処理プログラムリスト、破棄処理プログラム、再実行プログラムリスト、再実行プログラムを記憶する。また、記憶部１３０は、印刷制御部１１１の制御に応じて印刷ジョブを記憶し、若しくは、記憶している印刷ジョブを削除する。尚、記憶部１３０は、画像形成装置１に備えられたものではなく、ネットワーク４を介して画像形成装置１に接続された図示しない印刷管理サーバに備えられるように構成されていても良いし、その一部の機能を印刷管理サーバに備えられるように構成されていても良い。
【００５４】
ディスプレイパネル１４０は、画像形成装置１の状態を視覚的に表示する出力インタフェースであると共に、タッチパネルとして利用者が画像形成装置１を直接操作し若しくは画像形成装置１に対して情報を入力する際の入力インタフェースでもある。ディスプレイパネル１４０は、図２に示すＬＣＤ６０及び操作部７０によって実現される
ネットワークＩ／Ｆ１５０は、画像形成装置１がネットワーク４を介してクライアント端末２や勤怠管理システム３等の他の機器やシステムと通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。ネットワークＩ／Ｆ１５０は、図２に示すＩ／Ｆ５０によって実現される。
【００５５】
利用者認証Ｉ／Ｆ１６０は、利用者の認証情報を取得するためのインタフェースであり、図２に示すＩ／Ｆ５０によって実現される。具体的には、利用者認証Ｉ／Ｆ１６０は、ＩＣ（Ｉｎｔｅｇｒａｔｅｄ  Ｃｉｒｃｕｉｔ）カードリーダや、指紋や虹彩から認証情報を取得するための生体認証用のインタフェースにより実現される。本実施形態においては、利用者認証Ｉ／Ｆ１６０は、各利用者が所持する利用者認証カードを読み取って、その利用者認証カードから認証情報を取得するＩＣカードリーダとして説明する。
【００５６】
次に、利用者リスト、勤怠状況リスト、排紙ＢＯＸリスト、待機ジョブリスト、実行ジョブリスト、排紙ＢＯＸ使用状況リスト、破棄ＢＯＸリスト、破棄処理プログラムリスト、破棄処理プログラム、再実行プログラムリスト、再実行プログラムについて説明する。
【００５７】
まず、利用者リストについて説明する。本実施形態に係る利用者リストとは、画像形成装置１の利用者に関する情報（以下、「利用者情報」とする）が登録されたリストのことである。本実施形態においては、この利用者リストに登録された利用者のみが画像形成装置１を利用することができる。
【００５８】
具体的には、本実施形態に係る利用者リストには、利用者情報として、画像形成装置１の利用者の利用者名、その利用者の利用者ＩＤ、その利用者のパスワード、その利用者の優先レベル、その利用者のメールアドレスが登録されている。この利用者情報のうち、利用者ＩＤとパスワードとの組み合わせ（以下、「認証情報」とする）は各利用者につき一意である。従って、印刷制御部１１１は、利用者認証Ｉ／Ｆ１６０に利用者認証カードを読み取らせることによりその利用者認証カードから取得した認証情報と、利用者リストに登録されている認証情報とを照合することにより利用者を認証し、また、個々の利用者を識別することができる。即ち、本実施形態においては、印刷制御部１１１が、利用者識別部として機能する。
【００５９】
ここで、利用者情報として利用者リストに登録される優先レベルについて説明する。本実施形態に係る優先レベルとは、各利用者について個別に定められたものであり、画像形成装置１が、排紙ＢＯＸ１２５−１〜１２５−Ｘの全てに印刷物を収容している状態で新たに印刷ジョブを実行する場合において印刷物を破棄する際に、どの印刷物をより優先的に破棄するのかを示す尺度である。即ち、優先レベルが低い利用者の印刷物は、より優先レベルが高い利用者の印刷物よりも優先的に破棄される。
【００６０】
また、本実施形態に係る優先レベルは、複数の印刷ジョブによる印刷物が破棄されている状態において、排紙ＢＯＸ１２５の何れかが空いた場合に、どの印刷ジョブを優先的に再実行して再印刷を行うのかを示す尺度でもある。即ち、優先レベルが高い利用者の印刷ジョブは、より優先レベルが低い利用者の印刷ジョブよりも優先的に実行されて再印刷が行われる。
【００６１】
尚、この優先レベルは、各利用者の役職や地位、各利用者の画像形成装置１の利用頻度、各利用者の単位期間当たりの印刷枚数等、各利用者のステータスや使用状況に応じて定められても良いし、画像形成装置１の管理者が適宜設定できるように構成されていても良い。
【００６２】
このような利用者リストの一例を図５に示す。図５は、本実施形態に係る利用者リストの一例を示す図である。図５に示すように、本実施形態に係る利用者リストにおいては、利用者毎に、その利用者の利用者名が「利用者名」欄に、その利用者の利用者ＩＤが「利用者ＩＤ」欄に、その利用者のパスワードが「パスワード」欄に、その利用者の優先レベルが「優先レベル」欄に、その利用者のメールアドレスが「メールアドレス」欄に登録される。
【００６３】
次に、勤怠状況リストについて説明する。本実施形態に係る勤怠状況リストとは、画像形成装置１の利用者の勤怠状況に関する情報（以下、「勤怠状況情報」とする）が登録されたリストのことである。
【００６４】
具体的には、本実施形態に係る勤怠状況リストには、勤怠状況情報として、利用者リストに登録されている利用者の利用者名、その利用者の利用者ＩＤ、その利用者の勤怠状況が登録されている。
【００６５】
このような勤怠状況リストの一例を図６に示す。図６は、本実施形態に係る勤怠状況リストの一例を示す図である。図６に示すように、本実施形態に係る勤怠状況リストにおいては、勤怠状況情報として、利用者リストに登録されている利用者の利用者名が「利用者名」欄に、その利用者の利用者ＩＤが「利用者ＩＤ」欄に、その利用者の勤怠状況が「勤怠状況」欄に登録される。
【００６６】
図６に示した例では、利用者Ａ、利用者Ｂ、利用者Ｄが出社しており、利用者Ｃ、利用者Ｅが退社していることがわかる。即ち、本実施形態においては、図５において説明した優先レベル、及び、図６において説明した勤怠状況の少なくともどちらかが利用者の属性として利用される。
【００６７】
次に、排紙ＢＯＸリストについて説明する。本実施形態に係る排紙ＢＯＸリストとは、各排紙ＢＯＸ１２５に関する情報（以下、「排紙ＢＯＸ情報」とする）が登録されたリストのことである。
【００６８】
具体的には、本実施形態に係る排紙ＢＯＸリストには、排紙ＢＯＸ１２５毎に、排紙ＢＯＸ使用情報として、その排紙ＢＯＸ１２５の排紙ＢＯＸ識別ＩＤ、その排紙ＢＯＸ１２５の印刷物の収容可能枚数が登録されている
このような排紙ＢＯＸリストの一例を図７に示す。図７は、本実施形態に係る排紙ＢＯＸリストの一例を示す図である。図７に示すように、本実施形態に係る排紙ＢＯＸリストにおいては、排紙ＢＯＸ使用情報として、排紙ＢＯＸ１２５毎に、その排紙ＢＯＸ１２５の排紙ＢＯＸ識別ＩＤが「排紙ＢＯＸ識別ＩＤ」欄に、その排紙ＢＯＸ１２５の印刷物の収容可能枚数が「収容可能枚数」欄に登録される。
【００６９】
次に、待機ジョブリストについて説明する。本実施形態に係る待機ジョブリストとは、これまでに受信した印刷ジョブのうち、まだ実行されておらずこれから実行されるべき実行待ちの印刷ジョブ（以下、「待機ジョブ」とする）に関する情報（以下、「待機ジョブ情報」とする）が登録されたリストのことである。
【００７０】
具体的には、本実施形態に係る待機ジョブリストには、待機ジョブ情報として、待機ジョブの印刷ジョブＩＤと、その待機ジョブの実行順位とが登録されている。従って、実行が開始された待機ジョブの印刷ジョブＩＤは、この待機ジョブリストから削除されると共に、待機ジョブリストに登録されている他の印刷ジョブＩＤの実行順位が一つずつ繰り上がることになる。
【００７１】
このような待機ジョブリストの一例を図８に示す。図８は、本実施形態に係る待機ジョブリストの一例を示す図である。図８に示すように、本実施形態に係る待機ジョブリストにおいては、待機ジョブの印刷ジョブＩＤが「印刷ジョブＩＤ」欄に、その待機ジョブの実行順位が「実行順位」欄に登録される。
【００７２】
尚、図８においては、「実行順位」欄に登録されている値が小さいほど実行順位が高いことを表し、実行順位が高い待機ジョブほど優先的に実行される。従って、図８に示した例では、印刷ジョブＩＤ「ｆｆｆｆｆ」、「ｇｇｇｇｇ」、「ｈｈｈｈｈ」にそれぞれ対応する印刷ジョブｆ、ｇ、ｈの計３つの印刷ジョブが待機ジョブとして実行待ちであり、その順番で実行されることになる。この「実行順位」は、例えば、印刷ジョブの受信順に決定されても良いし、その他の規則に従って決定されても良い。
【００７３】
次に、実行ジョブリストについて説明する。本実施形態に係る実行ジョブリストとは、実行中の印刷ジョブ及びその印刷ジョブを実行した際の印刷物の排紙先に関する情報（以下、「実行ジョブ情報」とする）が登録されたリストのことである。
【００７４】
具体的には、本実施形態に係る実行ジョブリストには、実行ジョブ情報として、実行中の印刷ジョブの印刷ジョブＩＤ、その印刷ジョブを送信した利用者の利用者ＩＤ、その印刷ジョブを実行した際の印刷物の排紙先となる排紙ＢＯＸ１２５や排紙トレイ１２４を識別するための排紙ＢＯＸ識別ＩＤ、その排紙先への排紙枚数が登録されている。
【００７５】
このような実行ジョブリストの一例を、図９（ａ）、（ｂ）に示す。図９（ａ）、（ｂ）はそれぞれ、本実施形態に係る実行ジョブリストの一例を示す図である。図９（ａ）、（ｂ）に示すように、本実施形態に係る実行ジョブリストにおいては、実行ジョブ情報として、実行中の印刷ジョブの印刷ジョブＩＤが「印刷ジョブＩＤ」欄に、その印刷ジョブを送信した利用者の利用者ＩＤが「利用者ＩＤ」欄に、その印刷ジョブを実行した際の印刷物の排紙先となる排紙ＢＯＸ１２５や排紙トレイ１２４を識別するための排紙ＢＯＸ識別ＩＤが「排紙ＢＯＸ識別ＩＤ」欄に、その排紙先への排紙枚数が「排紙枚数」欄に登録される。
【００７６】
従って、図９（ａ）に示した例では、印刷ジョブＩＤ「ｉｉｉｉｉ」に対応する印刷ジョブｉが実行中であり、その際の印刷物は、「排紙ＢＯＸ１２５−４」、「排紙ＢＯＸ１２５−７」、「排紙ＢＯＸ１２５−１１」に分散されて排紙されることがわかる。また、「排紙ＢＯＸ１２５−４」、「排紙ＢＯＸ１２５−７」、「排紙ＢＯＸ１２５−１１」にはそれぞれ、１５０枚、２００枚、７０枚が排紙されることがわかる。図９（ｂ）に示した例では、印刷ジョブＩＤ「ｊｊｊｊｊ」に対応する印刷ジョブｊが実行中であり、その際の印刷物は、「排紙トレイ１２４」に排紙されることがわかる。また、「排紙トレイ１２４」には２３０枚が排紙されることがわかる。
【００７７】
尚、実行中の印刷ジョブの実行ジョブ情報は、実行完了後、速やかにこの実行ジョブリストから削除され、一方、新たに実行が開始される場合には、実行が開始される印刷ジョブの実行ジョブ情報がこの実行ジョブリストに新たに登録される。
【００７８】
従って、画像形成装置１は、実行ジョブリストに実行ジョブ情報が登録されていない場合には、実行中の印刷ジョブがないため、待機ジョブリストに登録されている印刷ジョブを順次実行することができる。一方、画像形成装置１は、実行ジョブリストに既に実行ジョブ情報が登録されている場合には印刷ジョブの実行中であるため、待機ジョブリストに登録されている印刷ジョブを実行することができない。
【００７９】
次に、排紙ＢＯＸ使用状況リストについて説明する。本実施形態に係る排紙ＢＯＸ使用状況リストとは、各排紙ＢＯＸ１２５の使用状況に関する情報（以下、「排紙ＢＯＸ使用情報」とする）が登録されたリストのことである。
【００８０】
具体的には、本実施形態に係る排紙ＢＯＸ使用状況リストには、排紙ＢＯＸ使用情報として、排紙ＢＯＸ１２５毎に、その排紙ＢＯＸ１２５の排紙ＢＯＸ識別ＩＤ、収容している印刷物を印刷した際に実行された印刷ジョブの印刷ジョブＩＤ、その印刷ジョブを送信した利用者の利用者ＩＤ、その利用者の優先レベル、印刷物の収容枚数、その排紙ＢＯＸ１２５の使用状況、その印刷ジョブの実行が開始された年月日、その印刷ジョブの実行が開始された時刻が登録されている。
【００８１】
このような排紙ＢＯＸ使用状況リストの一例を図１０に示す。図１０は、本実施形態に係る排紙ＢＯＸ使用状況リストの一例を示す図である。図１０に示すように、本実施形態に係る排紙ＢＯＸ使用状況リストにおいては、排紙ＢＯＸ使用情報として、排紙ＢＯＸ１２５毎に、その排紙ＢＯＸ１２５の排紙ＢＯＸ識別ＩＤが「排紙ＢＯＸ識別ＩＤ」欄に、収容している印刷物を印刷した際に実行された印刷ジョブの印刷ジョブＩＤが「印刷ジョブＩＤ」欄に、その印刷ジョブを送信した利用者の利用者ＩＤが「利用者ＩＤ」欄に、その利用者の優先レベルが「優先レベル」欄に、印刷物の収容枚数が「収容枚数」欄に、その排紙ＢＯＸの使用状況が「使用状況」欄、その印刷ジョブの実行が開始された年月日が「実行年月日」欄に、その印刷ジョブの実行が開始された時刻が「実行時間」欄に登録される。
【００８２】
尚、図１０に示すように、本実施形態に係る排紙ＢＯＸ使用状況リストにおいては、印刷物を既に収容していて使用中である排紙ＢＯＸ１２５についてはその「使用状況」欄に「使用中」が登録され、印刷物を収容していないが使用予約済みである排紙ＢＯＸ１２５についてはその「使用状況」欄に「使用予約済」が登録され、印刷物を収容しておらず使用予約もされていない未使用状態である排紙ＢＯＸ１２５についてはその「使用状況」欄に「未使用」が登録される。
【００８３】
従って、印刷制御部１１１は、この排紙ＢＯＸ使用状況リストにおける「使用状況」欄を確認することで、各排紙ＢＯＸ１２５の使用状況を検知することができる。即ち、印刷制御部１１１は、「使用状況」欄に「使用中」若しくは「使用予約済」が登録されている排紙ＢＯＸ１２５については使用することができないと判断し、「未使用」が登録されている排紙ＢＯＸ１２５については使用することができると判断することができる。
【００８４】
図１０に示した例では、排紙ＢＯＸ識別ＩＤ「１２５−１」及び「１２５−３」により識別される排紙ＢＯＸ１２５−１及び排紙ＢＯＸ１２５−３については、印刷物を既に収容していて使用中であり、排紙ＢＯＸ識別ＩＤ「１２５−２」により識別される排紙ＢＯＸ１２５−２については、印刷物を収容していないが使用予約済みであり、排紙ＢＯＸ識別ＩＤ「１２５−Ｘ」については、印刷物を収容しておらず使用予約もされていない未使用状態であることがわかる。
【００８５】
次に、破棄ＢＯＸリストについて説明する。本実施形態に係る破棄ＢＯＸリストとは、破棄ＢＯＸ１２６に破棄された印刷物に関する情報（以下、「破棄ＢＯＸ情報」とする）が登録されたリストのことである。具体的には、本実施形態に係る破棄ＢＯＸリストには、破棄ＢＯＸ情報として、破棄された印刷物を収容していた排紙ＢＯＸ１２５の排紙ＢＯＸ識別ＩＤ、その印刷物を印刷した際に実行された印刷ジョブの印刷ジョブＩＤ、その印刷ジョブを送信した利用者の利用者ＩＤ、その利用者の優先レベル、その印刷物の破棄枚数、その印刷ジョブの実行が開始された年月日、その印刷ジョブの実行が開始された時刻、その印刷物が破棄された年月日、その印刷物が破棄された時刻が登録されている。
【００８６】
このような破棄ジョブリストの一例を図１１に示す。図１１は、本実施形態に係る破棄ＢＯＸリストの一例を示す図である。図１１に示すように、本実施形態に係る破棄ＢＯＸリストにおいては、破棄ＢＯＸ情報として、破棄された印刷物を収容していた排紙ＢＯＸ１２５の排紙ＢＯＸ識別ＩＤが「排紙ＢＯＸ識別ＩＤ」欄に、その印刷物を印刷した際に実行された印刷ジョブの印刷ジョブＩＤが「印刷ジョブＩＤ」欄に、その印刷ジョブを送信した利用者の利用者ＩＤが「利用者ＩＤ」欄に、その利用者の優先レベルが「優先レベル」欄に、その印刷物の破棄枚数が「破棄枚数」欄に、その印刷ジョブの実行が開始されたが「実行年月日」欄に、その印刷ジョブの実行が開始された時刻が「実行時刻」欄に、その印刷物が破棄された年月日が「破棄年月日」欄に、その印刷物が破棄された時刻が「破棄時刻」欄に登録される。
【００８７】
図１１に示した例では、排紙ＢＯＸ１２５−５に収容されていた印刷ジョブｎによる１１０枚の印刷物、及び、排紙ＢＯＸ１２５−９に収容されていた印刷ジョブｎによる９０枚の印刷物が破棄されたことがわかる。
【００８８】
次に、破棄処理プログラム及び破棄処理プログラムリストについて説明する。本実施形態に係る破棄処理プログラムとは、破棄する印刷物を決定するための処理が記述されたプログラムである。また、本実施形態に係る破棄処理プログラムリストとは、その破棄処理プログラムに関する情報（以下、「破棄処理プログラム情報」とする）が登録されたリストのことである。
【００８９】
具体的には、本実施形態に係る破棄処理プログラムリストには、破棄処理プログラム情報として、破棄処理プログラムを識別するための破棄処理プログラム識別ＩＤとその破棄処理プログラムの格納先とが登録されている。そして、この格納先に破棄処理プログラムが格納されている。従って、本実施形態に係る画像形成装置１は、破棄処理プログラムリストを参照することにより破棄処理プログラムを読み出すことができる。
【００９０】
このような破棄処理プログラムリストの一例を図１２に示す。図１２は、本実施形態に係る破棄処理プログラムリストの一例を示す図である。図１２に示すように、本実施形態に係る破棄処理プログラムリストにおいては、破棄処理プログラム情報として、破棄処理プログラム識別ＩＤが「破棄処理プログラム識別ＩＤ」欄に、破棄処理プログラムの格納先が「破棄処理プログラムの格納先」欄に登録される。
【００９１】
尚、本実施形態に係る画像形成装置１は、図１２に示すように、４種類の破棄処理プログラムを記憶部１３０に格納している。そこで、各破棄処理プログラムの処理内容について、図１３を参照して説明する。図１３は、本実施形態に係る破棄処理プログラムの処理内容を説明するための図である。
【００９２】
図１３に示すように、破棄処理プログラム識別ＩＤ「００」により識別される破棄処理プログラムは、その処理内容として、勤怠状況に基づいて破棄する印刷物を決定するように構成されている。即ち、本実施形態に係る画像形成装置１は、破棄処理プログラム識別ＩＤ「００」により識別される破棄処理プログラムに従って破棄する印刷物を決定する場合、勤怠状況リストを参照して、退社している利用者の印刷物から優先的に破棄する印刷物として決定する。画像形成装置１がこのような破棄処理プログラムに従って破棄する印刷物を決定した場合、すぐには印刷物を取り出すことが不可能な利用者の印刷物から優先的に破棄されるので、すぐにでも印刷物を取り出すことが可能な利用者の利便性を向上させることが可能となる。
【００９３】
また、図１３に示すように、破棄処理プログラム識別ＩＤ「０１」により識別される破棄処理プログラムは、その処理内容として、収容枚数に基づいて破棄する印刷物を決定するように構成されている。即ち、本実施形態に係る画像形成装置１は、破棄処理プログラム識別ＩＤ「０１」により識別される破棄処理プログラムに従って破棄する印刷物を決定する場合、排紙ＢＯＸ使用状況リストを参照して、収容枚数が少ない排紙ＢＯＸ１２５に収容されている印刷物から優先的に破棄する印刷物として決定する。画像形成装置１がこのような破棄処理プログラムに従って破棄する印刷物を決定した場合、破棄する用紙の枚数を低減することが可能となり用紙を節約することが可能となる。
【００９４】
また、図１３に示すように、破棄処理プログラム識別ＩＤ「１０」により識別される破棄処理プログラムは、その処理内容として、優先レベルに基づいて破棄する印刷物を決定するように構成されている。即ち、本実施形態に係る画像形成装置１は、破棄処理プログラム識別ＩＤ「１０」により識別される破棄処理プログラムに従って破棄する印刷物を決定する場合、利用者リストを参照して、優先レベルが低い利用者の印刷物から優先的に破棄する印刷物として決定する。画像形成装置１がこのような破棄処理プログラムに従って破棄する印刷物を決定した場合、各利用者のステータスや使用状況に応じて印刷物を破棄することが可能となるため、利用者の利便性を向上させることが可能となる。
【００９５】
また、図１３に示すように、破棄処理プログラム識別ＩＤ「１１」により識別される破棄処理プログラムは、その処理内容として、実行日時に基づいて破棄する印刷物を決定するように構成されている。即ち、本実施形態に係る画像形成装置１は、破棄処理プログラム識別ＩＤ「１１」により識別される破棄処理プログラムに従って破棄する印刷物を決定する場合、排紙ＢＯＸ使用状況リストを参照して、実行日時が古い印刷物から優先的に破棄する印刷物として決定する。画像形成装置１がこのような破棄処理プログラムに従って破棄する印刷物を決定した場合、放置されている可能性が高い印刷物から優先的に破棄することが可能となるため、利用者の利便性を向上させることが可能となる。
【００９６】
また、この他の破棄処理プログラムとして、新たに印刷ジョブが実行されると印刷枚数が多すぎて一つの排紙ＢＯＸ１２５に収容しきれない場合には複数の排紙ＢＯＸ１２５から印刷物を破棄する必要があるが、このような場合には、破棄する印刷物の合計枚数が、上記印刷枚数と最も近い値となるように、破棄する印刷物の組み合わせを決定するように構成されていても良い。このとき、破棄する印刷物の合計枚数が、上記印刷枚数と最も近い値となるような印刷物の組み合わせを探索する方法としては、例えば、動的計画法等がある。
【００９７】
さらに、この他の破棄処理プログラムとして、上記で説明した処理内容が組み合わされた処理内容となるように構成されていても良い。例えば、異なる利用者ではあるが勤怠状況が同一である複数の利用者の印刷物が各排紙ＢＯＸ１２５に収容されている場合には、勤怠状況のみでは破棄する印刷物を決定することができないため、勤怠状況に加えて、優先レベルに基づいて破棄する印刷物を決定するように構成されていても良い。このような組み合わせは任意で可能であり、組み合わせる数が多いほどより効果的に破棄する印刷物を決定することが可能となる。
【００９８】
尚、画像形成装置１がどの破棄処理プログラムに従って破棄する印刷物を決定するのかは予め設定されている。即ち、本実施形態に係る画像形成装置１は、破棄する印刷物を決定する際に実行する破棄処理プログラムの破棄処理プログラム識別ＩＤを、破棄処理プログラム設定情報として、記憶部１３０若しくはＲＯＭ３０の一部に割り当てられた図示しない破棄処理プログラム設定領域に格納している。従って、本実施形態に係る画像形成装置１は、その破棄処理プログラム設定領域に格納している破棄処理プログラム設定情報を参照することにより、どの破棄処理プログラムに従って破棄する印刷物を決定するのかを確認することができる。
【００９９】
次に、再実行処理プログラム及び再実行処理プログラムリストについて説明する。本実施形態に係る再実行処理プログラムとは、複数の印刷ジョブによる印刷物が破棄されている状態において、排紙ＢＯＸ１２５の何れかが空いた場合に、再度実行する印刷ジョブを決定するための処理が記述されたプログラムである。また、本実施形態に係る再実行処理プログラムリストとは、その再実行処理プログラムに関する情報（以下、「再実行処理プログラム情報」とする）が登録されたリストのことである。
【０１００】
具体的には、本実施形態に係る再実行処理プログラムリストには、再実行処理プログラム情報として、再実行処理プログラムを識別するための再実行処理プログラム識別ＩＤとその再実行処理プログラムの格納先とが登録されている。そして、この格納先に再実行処理プログラムが格納されている。従って、本実施形態に係る画像形成装置１は、再実行処理プログラムリストを参照することにより再実行処理プログラムを読み出すことができる。
【０１０１】
このような再実行処理プログラムリストの一例を図１４に示す。図１４は、本実施形態に係る再実行処理プログラムリストの一例を示す図である。図１４に示すように、本実施形態に係る再実行処理プログラムリストにおいては、再実行処理プログラム情報として、再実行処理プログラム識別ＩＤが「再実行処理プログラム識別ＩＤ」欄に、再実行処理プログラムの格納先が「再実行処理プログラムの格納先」欄に登録される。
【０１０２】
尚、本実施形態に係る画像形成装置１は、図１４に示すように、４種類の再実行処理プログラムを記憶部１３０に格納している。そこで、各再実行処理プログラムの処理内容について、図１５を参照して説明する。図１５は、本実施形態に係る再実行処理プログラムの処理内容を説明するための図である。
【０１０３】
図１５に示すように、再実行処理プログラム識別ＩＤ「００」により識別される再実行処理プログラムは、その処理内容として、勤怠状況に基づいて再実行する印刷ジョブを決定するように構成されている。即ち、本実施形態に係る画像形成装置１は、再実行処理プログラム識別ＩＤ「００」により識別される再実行処理プログラムに従って再実行する印刷ジョブを決定する場合、勤怠状況リストを参照して、出社している利用者の印刷ジョブから優先的に再実行する印刷ジョブとして決定する。画像形成装置１がこのような再実行処理プログラムに従って再実行する印刷ジョブを決定した場合、すぐにでも印刷物を回収することが可能な利用者の印刷ジョブから優先的に実行されるので、利用者の利便性を向上させることが可能となる。
【０１０４】
また、図１５に示すように、再実行処理プログラム識別ＩＤ「０１」により識別される再実行処理プログラムは、その処理内容として、破棄枚数に基づいて再実行する印刷ジョブを決定するように構成されている。即ち、本実施形態に係る画像形成装置１は、再実行処理プログラム識別ＩＤ「０１」により識別される再実行処理プログラムに従って再実行する印刷ジョブを決定する場合、破棄ジョブリストを参照して、破棄枚数が少ない印刷ジョブから優先的に再実行する印刷ジョブとして決定する。画像形成装置１がこのような再実行処理プログラムに従って再実行する印刷ジョブを決定した場合、再印刷の際の印刷枚数を低減することが可能となり用紙を節約することが可能となる。
【０１０５】
また、図１５に示すように、再実行処理プログラム識別ＩＤ「１０」により識別される再実行処理プログラムは、その処理内容として、優先レベルに基づいて再実行する印刷ジョブを決定するように構成されている。即ち、本実施形態に係る画像形成装置１は、再実行処理プログラム識別ＩＤ「１０」により識別される再実行処理プログラムに従って再実行する印刷ジョブを決定する場合、利用者リストを参照して、優先レベルが高い利用者の印刷ジョブから優先的に再実行する印刷ジョブとして決定する。画像形成装置１がこのような再実行処理プログラムに従って再実行する印刷ジョブを決定した場合、各利用者のステータスや使用状況に応じて印刷ジョブを再実行することが可能となるため、利用者の利便性を向上させることが可能となる。
【０１０６】
また、図１５に示すように、再実行処理プログラム識別ＩＤ「１１」により識別される再実行処理プログラムは、その処理内容として、破棄日時に基づいて再実行する印刷ジョブを決定するように構成されている。即ち、本実施形態に係る画像形成装置１は、再実行処理プログラム識別ＩＤ「１１」により識別される再実行処理プログラムに従って再実行する印刷ジョブを決定する場合、破棄ジョブリストを参照して、破棄日時が古い印刷ジョブから優先的に再実行する印刷ジョブとして決定する。画像形成装置１がこのような再実行処理プログラムに従って再実行する印刷ジョブを決定した場合、破棄された順番に再実行する印刷ジョブを決定することが可能となるため、利用者の利便性を向上させることが可能となる。
【０１０７】
さらに、この他の再実行処理プログラムとして、上記で説明した処理内容が組み合わされた処理内容となるように構成されていても良い。例えば、異なる利用者ではあるが勤怠状況が同一である複数の利用者の印刷物が破棄ＢＯＸ１２６に破棄されている場合には、勤怠状況のみでは再実行する印刷ジョブを決定することができないため、勤怠状況に加えて、優先レベルに基づいて再実行する印刷ジョブを決定するように構成されていても良い。このような組み合わせは任意で可能であり、組み合わせる数が多いほどより効果的に再実行する印刷ジョブを決定することが可能となる。
【０１０８】
尚、画像形成装置１がどの再実行処理プログラムに従って再実行する印刷ジョブを決定するのかは予め設定されている。即ち、本実施形態に係る画像形成装置１は、再実行する印刷ジョブを決定する際に実行する再実行処理プログラムの再実行処理プログラム識別ＩＤを、再実行処理プログラム設定情報として、記憶部１３０若しくはＲＯＭ３０の一部に割り当てられた図示しない再実行処理プログラム設定領域に格納している。従って、本実施形態に係る画像形成装置１は、その再実行処理プログラム設定領域に格納している再実行処理プログラム設定情報を参照することにより、どの再実行処理プログラムに従って再実行する印刷ジョブを決定するのかを確認することができる。
【０１０９】
このように構成された画像形成装置１において、本実施形態に係る要旨の一つは、施錠可能な排紙ＢＯＸ１２５の全てに印刷物が収容されている状態において新たに印刷ジョブを受信した場合、施錠可能な排紙ＢＯＸ１２５に収容されている印刷物を破棄ＢＯＸ１２６に破棄することで施錠可能な排紙ＢＯＸ１２５に空きをつくることにある。これにより、本実施形態に係る画像形成装置１は、施錠可能な排紙ＢＯＸ１２５の全てに印刷物を収容している状態において新たに印刷ジョブを受信した場合であっても、すぐにその印刷ジョブを実行することができる上、その印刷ジョブによる印刷物を施錠可能な排紙ＢＯＸ１２５に排紙することができる。従って、本実施形態に係る画像形成装置１によれば、画像形成出力を実行する場合において、印刷物に対するセキュリティを確保しつつ利用者の待ち時間を短縮させることが可能となる。
【０１１０】
次に、本実施形態に係る画像形成装置１が印刷ジョブに基づく画像形成出力を実行する際の処理について、図１６〜１８を参照して説明する。図１６は、本実施形態に係る画像形成装置１が、印刷ジョブに基づく画像形成出力を実行する際の処理のうち、排紙先を決定する際の処理を説明するためのフローチャートである。図１７は、本実施形態に係る画像形成装置１が、印刷ジョブに基づく画像形成出力を実行する際の処理のうち、施錠機能の無い排紙トレイ１２４に印刷物を排紙する際の処理を説明するためのフローチャートである。図１８は、本実施形態に係る画像形成装置１が、印刷ジョブに基づく画像形成出力を実行する際の処理のうち、施錠可能な排紙ＢＯＸ１２５に印刷物を排紙する際の処理を説明するためのフローチャートである。尚、以下では、図１６〜１８を参照する際には、印刷ジョブｚに基づく画像形成出力の実行に着目して説明する。
【０１１１】
本実施形態に係る画像形成装置１は、印刷ジョブに基づく画像形成出力を実行するにはまず、図１６に示すように、排紙先を決定する際の処理を行う。即ち、このとき、印刷制御部１１１はまず、ネットワークＩ／Ｆ１５０を介してクライアント端末２から印刷ジョブｚを受信し（Ｓ１６０１）、受信した印刷ジョブｚを記憶部１３０に記憶させる（Ｓ１６０２）と共に、印刷ジョブｚの印刷ジョブＩＤを待機ジョブリストに登録する（Ｓ１６０３）。即ち、本実施形態においては、印刷制御部１１１が、命令受信部及び命令記憶制御部としてとして機能する。
【０１１２】
そして、印刷制御部１１１は、印刷ジョブｚを実行することができるようになったことを検知すると（Ｓ１６０４）、待機ジョブリストから印刷ジョブｚの印刷ジョブＩＤを削除すると共に、登録されている他の印刷ジョブＩＤの実行順位を１つずつ繰り上げることで待機ジョブリストを更新する（Ｓ１６０５）。そして、印刷制御部１１１は、印刷ジョブｚの印刷ジョブ情報における排紙先を確認する（Ｓ１６０６）。
【０１１３】
尚、Ｓ１６０４における検知処理は、印刷制御部１１１が、待機ジョブリストに登録されている印刷ジョブｚの印刷ジョブＩＤの実行順位を確認することにより行われる。即ち、印刷制御部１１１は、待機ジョブリストにおける印刷ジョブｚの実行順位が最上位であることを確認した場合には、印刷ジョブｚを実行することができるようになったと検知することができる。一方、印刷制御部１１１は、待機ジョブリストにおける印刷ジョブｚの実行順位が最上位でないことを確認した場合には、印刷ジョブｚを実行することができるようになっていないと検知することができる。
【０１１４】
印刷制御部１１１は、Ｓ１６０６における確認処理で排紙先に排紙トレイが登録されていることを確認した場合には（Ｓ１６０６／ＮＯ）、施錠機能の無い排紙トレイ１２４を排紙先として決定する（Ｓ１６０７）。一方、印刷制御部１１１は、Ｓ１６０６における確認処理で排紙先に排紙ＢＯＸが登録されていることを確認した場合には（Ｓ１６０６／ＹＥＳ）、施錠可能な排紙ＢＯＸ１２５を排紙先として決定する（Ｓ１６０８）。
【０１１５】
このようにして、本実施形態に係る画像形成装置１は、Ｓ１６０７の処理で施錠機能の無い排紙トレイ１２４を排紙先として決定すると、次に、図１７に示すように、施錠機能の無い排紙トレイ１２４に印刷物を排紙する際の処理を行う。即ち、このとき、印刷制御部１１１はまず、印刷ジョブｚ及び排紙トレイ１２４に係る実行ジョブ情報を実行ジョブリストに登録する（Ｓ１７０１）。
【０１１６】
そして、印刷制御部１１１は、記憶部１３０から印刷ジョブｚを読み出して、画像処理部１１２に印刷ジョブｚに基づく描画情報を生成させ（Ｓ１７０２）、生成させた描画情報をエンジン制御部１２１に送信する。以下では、印刷ジョブｚに基づく描画情報を描画情報ｚとする。尚、ここで生成された描画情報ｚには、排紙トレイ１２４の排紙ＢＯＸ識別ＩＤと排紙トレイ１２４への排紙枚数とが含まれる。これにより、エンジン制御部１２１は、どこに何枚の印刷物を排紙すべきかを認識することができる。
【０１１７】
エンジン制御部１２１は、印刷制御部１１１から描画情報ｚを受信すると、受信した描画情報ｚに基づいてエンジン１２０に含まれる各部を制御することにより画像形成出力を実行させて、排紙トレイ１２４に印刷物を排紙させる（Ｓ１７０３）。そして、エンジン制御部１２１は、描画情報ｚに基づく画像形成出力の実行が完了すると（Ｓ１７０４）、印刷ジョブｚについての実行完了通知を印刷制御部１１１に対して発行する。
【０１１８】
印刷制御部１１１は、エンジン制御部１２１から印刷ジョブｚについての実行完了通知を受け取ると、実行ジョブリストから実行ジョブ情報を削除する（Ｓ１７０５）と共に、記憶部１３０から印刷ジョブｚを削除する（Ｓ１７０６）。
【０１１９】
このようにして、本実施形態に係る画像形成装置１は、印刷ジョブｚに基づく画像形成出力を実行し、施錠機能の無い排紙トレイ１２４に印刷物を排紙する際の処理を終了する。
【０１２０】
一方、本実施形態に係る画像形成装置１は、Ｓ１６０８の処理で施錠可能な排紙ＢＯＸ１２５を排紙先として決定すると、次に、図１８に示すように、施錠可能な排紙ＢＯＸ１２５に印刷物を排紙する際の処理を行う。即ち、このとき、印刷制御部１１１はまず、排紙ＢＯＸ１２５−１〜１２５−Ｘのうち、印刷物を収容しておらず未使用となっている排紙ＢＯＸ１２５があるか否かを判断する（Ｓ１８０１）。
【０１２１】
尚、Ｓ１８０１における判断処理は、印刷制御部１１１が、排紙ＢＯＸ使用状況リストに登録されている各排紙ＢＯＸ１２５の排紙ＢＯＸ使用情報における使用状況を順に確認していき、使用状況として未使用が登録されている排紙ＢＯＸ１２５があるか否かを判断することにより行われる。
【０１２２】
印刷制御部１１１は、Ｓ１８０１の判断処理において、未使用の排紙ＢＯＸ１２５が無いと判断した場合には（Ｓ１８０１／ＮＯ）、破棄処理プログラム設定情報を参照して記憶部１３０から破棄処理プログラムを読み出す（Ｓ１８０２）。そして、印刷制御部１１１は、読み出した破棄処理プログラムを実行して破棄する印刷物を決定する（Ｓ１８０３）。尚、以下では、Ｓ１８０３の処理で破棄すると決定された印刷物を印刷物ｙ、その印刷物ｙを印刷するために実行された印刷ジョブを印刷ジョブｙ、その印刷ジョブｙを送信した利用者を利用者ｙ、印刷対象のファイル名を印刷ファイルｙ、その印刷物ｙを収容している排紙ＢＯＸ１２５を排紙ＢＯＸ１２５−Ｙとする。
【０１２３】
印刷制御部１１１は、破棄する印刷物を決定すると、排紙ＢＯＸ１２５−Ｙに収容されている印刷物ｙを破棄させるための破棄命令を生成して（Ｓ１８０４）、エンジン制御部１２１に送信する。尚、ここで生成された破棄命令には、排紙ＢＯＸ１２５−Ｙの排紙ＢＯＸ識別ＩＤが含まれる。これにより、エンジン制御部１２１は、どの排紙ＢＯＸ１２５に収容されている印刷物を破棄すべきかを認識することができる。
【０１２４】
エンジン制御部１２１は、印刷制御部１１１から破棄命令を受信すると、受信した破棄命令に基づいてエンジン１２０に含まれる各部を制御することにより、排紙ＢＯＸ１２５−Ｙに収容されている印刷物ｙを全て破棄ＢＯＸ１２６に破棄させ（Ｓ１８０５）、破棄完了通知を印刷制御部１１１に対して発行する。即ち、本実施形態においては、エンジン制御部１２１が、転写紙移動制御部として機能する。
【０１２５】
このように、本実施形態に係る画像形成装置１においては、施錠可能な排紙ＢＯＸ１２５の全てに印刷物が収容されている状態において新たに印刷ジョブを受信した場合、施錠可能な排紙ＢＯＸ１２５に収容されている印刷物を破棄ＢＯＸ１２６に破棄することで施錠可能な排紙ＢＯＸ１２５に空きをつくることを要旨の一つとしている。これにより、本実施形態に係る画像形成装置１は、施錠可能な排紙ＢＯＸ１２５の全てに印刷物を収容している状態において新たに印刷ジョブを受信した場合であっても、すぐにその印刷ジョブを実行することができる上、その印刷ジョブによる印刷物を施錠可能な排紙ＢＯＸ１２５に排紙することができる。従って、本実施形態に係る画像形成装置１によれば、画像形成出力を実行する場合において、印刷物に対するセキュリティを確保しつつ利用者の待ち時間を短縮させることが可能となる。
【０１２６】
印刷制御部１１１は、エンジン制御部１２１から破棄完了通知を受け取ると、排紙ＢＯＸ使用状況リストに登録されている各排紙ＢＯＸ１２５の排紙ＢＯＸ使用情報のうち、排紙ＢＯＸ１２５−Ｙに係る排紙ＢＯＸ使用情報を削除して使用状況に未使用を登録することで排紙ＢＯＸ使用状況リストを更新する（Ｓ１８０６）。これにより、排紙ＢＯＸ１２５−Ｙは、未使用の排紙ＢＯＸ１２５として排紙ＢＯＸ使用状況リストに登録されることになる。
【０１２７】
また、印刷制御部１１１は、エンジン制御部１２１から破棄完了通知を受け取ると、Ｓ１８０５における排紙ＢＯＸ使用状況リストの更新処理と並行して、印刷物ｙに関する破棄ＢＯＸ情報を破棄ＢＯＸリストに登録する（Ｓ１８０７）。
【０１２８】
そして、印刷制御部１１１は、印刷物ｙを破棄した旨を印刷ジョブｙの送信者である利用者Ｙに伝えるための破棄通知メールを作成して利用者Ｙに送信する（Ｓ１８０８）。即ち、本実施形態においては印刷制御部１１１が、移動通知部として機能する。
【０１２９】
ここで、本実施形態に係る破棄通知メールの内容について、図１９を参照して説明する。図１９は、本実施形態に係る破棄通知メールの内容の一例を示す図である。図１９に示すように、本実施形態に係る破棄通知メールには、印刷物が破棄されたこと、破棄された印刷物が破棄ＢＯＸ１２６から回収可能なことが記載され、破棄された印刷物のサムネイル画像が添付されている。これにより、利用者は、印刷物が破棄されたこと、及び、どの印刷物が破棄されたかを知ることができる。
【０１３０】
また、本実施形態に係る破棄通知メールには、印刷物が破棄されたことに対する対処方法を、利用者がクライアント端末２を操作することにより選択することができる形式で記載されている。具体的には、本実施形態に係る対処方法には、図１９に示すように、１．他の排紙ＢＯＸ１２５に収容されている印刷物を強制的に破棄してその排紙ＢＯＸ１２５に排紙することで再印刷を行うこと、２．再印刷は行わずに破棄された印刷物を所定期間以内に破棄ＢＯＸ１２６から回収すること、３．所定期間経過後に処分されるが破棄された印刷物をそのまま放置することの３つがある。
【０１３１】
即ち、利用者は破棄通知メールにおいて、クライアント端末２を操作することにより、上記３つの対処方法それぞれに対応するボタンのうち、所望の対処方法に対応するボタンを押下することでその対処方法を選択することができるようになっている。但し、図１９に示すように、所定期間経過後にいずれの対処方法も選択されていない場合には、排紙ＢＯＸ１２５のいずれかが空いた時点で自動的に再印刷を行う。
【０１３２】
そして、利用者がクライアント端末２を操作することにより、上記３つのボタンのうちいずれかのボタンを押下すると、クライアント端末２は、対処の対象となっている印刷物の印刷の際に実行された印刷ジョブＩＤを含み、押下されたボタンに応じた対処要求を生成して画像形成装置１に送信する。具体的には、クライアント端末２は、上記１に対応するボタンが押下された場合には強制再印刷要求を、上記２に対応するボタンが押下された場合には回収要求を、上記３に対応するボタンが押下された場合には放置要求を対処要求として生成して画像形成装置１に送信する。これにより、画像形成装置１は、選択された対処方法に従って処理を行うことができる。
【０１３３】
尚、強制再印刷要求、放置要求を受信した際の画像形成装置１の具体的な処理についてはそれぞれ、図２２、２３を参照して後述する。
【０１３４】
尚、印刷物が破棄されたことに対する対処方法として、破棄された印刷物を利用者が破棄ＢＯＸ１２６から回収した場合、用紙の無駄な使用をなくすことができるため、用紙を節約することが可能となる。尚、上述したように、本実施形態に係る破棄ＢＯＸ１２６は、排紙ＢＯＸ１２５と同様に施錠可能であるため、破棄された印刷物であっても他人が盗み見したり、持ち去ったりすることはできない。
【０１３５】
このようにして、印刷制御部１１１は、破棄通知メールを送信すると、改めてＳ１８０１の判断処理を行う。
【０１３６】
そして、印刷制御部１１１は、Ｓ１８０１の判断処理において、未使用の排紙ＢＯＸ１２５が有ると判断した場合には（Ｓ１８０１／ＹＥＳ）、その未使用の排紙ＢＯＸ１２５を、印刷ジョブｚを実行した際の印刷物の排紙先として決定する（Ｓ１８０９）。尚、以下では、Ｓ１８０９の処理で印刷物の排紙先として決定された排紙ＢＯＸ１２５を排紙ＢＯＸ１２５−Ｗとする。
【０１３７】
印刷制御部１１１は、Ｓ１８０９の処理で排紙先を決定すると、印刷ジョブｚの印刷ジョブ情報における印刷枚数と、排紙先として決定された排紙ＢＯＸ１２５−Ｗの収容可能枚数との大小関係を判断する（Ｓ１８１０）。
【０１３８】
印刷制御部１１１は、Ｓ１８１０における印刷枚数と収容可能枚数との大小関係の判断処理において、排紙ＢＯＸ１２５−Ｗの収容可能枚数の方が印刷枚数よりも小さいと判断した場合には（Ｓ１８１０／ＮＯ）、排紙ＢＯＸ使用状況リストに排紙ＢＯＸ１２５−Ｗに係る排紙ＢＯＸ使用情報を登録することにより、排紙ＢＯＸ使用状況リストを更新する（Ｓ１８１１）と共に、実行ジョブリストに印刷ジョブｚ及び排紙ＢＯＸ１２５−Ｗに係る実行ジョブ情報を登録する（Ｓ１８１２）。
【０１３９】
尚、Ｓ１８１１における排紙ＢＯＸ使用状況リストの更新処理では、排紙ＢＯＸ１２５−Ｙに係る排紙ＢＯＸ使用情報における使用状況に使用予約済が、印刷物の収容枚数として排紙ＢＯＸ１２５−Ｗの収容可能枚数が、排紙ＢＯＸ使用状況リストに登録されることになる。これにより、排紙ＢＯＸ１２５−Ｗは、印刷ジョブｚによる印刷物を収容するために使用予約されることになる。
【０１４０】
そして、印刷制御部１１１は、印刷ジョブｚの印刷ジョブ情報における印刷枚数を、排紙ＢＯＸ１２５−Ｙの収容可能枚数を引いた枚数に更新し（Ｓ１８１３）、更新後の印刷枚数で以って、改めてＳ１８０１〜Ｓ１８１３の処理を行う。従って、Ｓ１８１０における判断処理が上記印刷枚数の更新後に行われる場合には、更新後の印刷枚数が排紙ＢＯＸ１２５−Ｗの収容可能枚数との大小関係の判断対象となる。また、Ｓ１８１１における実行ジョブ情報の登録処理が上記印刷枚数の更新後に行われる場合には、更新後の印刷枚数が印刷ジョブｚ及び排紙ＢＯＸ１２５−Ｗに係る実行ジョブ情報における排紙枚数として実行ジョブリストに登録される。
【０１４１】
このようにして、Ｓ１８０１〜Ｓ１８１３の処理ループは、印刷制御部１１１が、Ｓ１８１０の判断処理において、排紙ＢＯＸ１２５−Ｗの収容可能枚数は印刷枚数以上であると判断する（Ｓ１８１０／ＹＥＳ）まで繰り返される。
【０１４２】
一方、印刷制御部１１１は、Ｓ１８１０における印刷枚数と収容可能枚数との大小関係の判断処理において、排紙ＢＯＸ１２５−Ｗの収容可能枚数は印刷枚数以上であると判断した場合には（Ｓ１８１０／ＹＥＳ）、排紙ＢＯＸ使用状況リストに排紙ＢＯＸ１２５−Ｗに係る排紙ＢＯＸ使用情報を登録することにより、排紙ＢＯＸ使用状況リストを更新する（Ｓ１８１４）と共に、実行ジョブリストに印刷ジョブｚ及び排紙ＢＯＸ１２５−Ｗに係る実行ジョブ情報を登録する（Ｓ１８１５）。
【０１４３】
尚、Ｓ１８１４における排紙ＢＯＸ使用状況リストの更新処理では、排紙ＢＯＸ１２５−Ｗに係る排紙ＢＯＸ使用情報における使用状況に使用予約済が、印刷物の収容枚数として印刷ジョブｚの印刷ジョブ情報における印刷枚数が、排紙ＢＯＸ使用状況リストに登録されることになる。これにより、排紙ＢＯＸ１２５−Ｗは、印刷ジョブｚによる印刷物を収容するために使用予約されることになる。このとき、印刷ジョブｚの印刷ジョブ情報における印刷枚数がＳ１８１０の処理で更新されていれば、更新後の印刷枚数が排紙ＢＯＸ１２５−Ｗに係る排紙ＢＯＸ使用情報における印刷物の収容枚数として排紙ＢＯＸ使用状況リストに登録される。
【０１４４】
また、Ｓ１８１５における実行ジョブ情報の登録処理では、印刷ジョブｚの印刷ジョブ情報における印刷枚数がＳ１８１３の処理で更新されていれば、更新後の印刷枚数が印刷ジョブｚ及び排紙ＢＯＸ１２５−Ｗに係る実行ジョブ情報における排紙枚数として実行ジョブリストに登録される。
【０１４５】
そして、印刷制御部１１１は、Ｓ１８１５の処理で印刷ジョブｚ及び排紙ＢＯＸ１２５−Ｗに係る実行ジョブ情報を登録し終えると、記憶部１３０から印刷ジョブｚを読み出して、画像処理部１１２に印刷ジョブｚ及び実行ジョブリストに基づく描画情報ｚを生成させ（Ｓ１８１６）、生成させた描画情報ｚをエンジン制御部１２１に送信する。尚、ここで生成された描画情報ｚには、Ｓ１８０７の処理で排紙先として決定された排紙ＢＯＸ１２５−Ｗの排紙ＢＯＸ識別ＩＤとその排紙ＢＯＸ１２５−Ｗへの排紙枚数とが含まれる。これにより、エンジン制御部１２１は、どの排紙ＢＯＸ１２５に何枚の印刷物を排紙すべきかを認識することができる。
【０１４６】
さらに、Ｓ１８０１〜Ｓ１８１３の処理ループが複数回繰り返された場合、複数の排紙ＢＯＸ１２５が排紙先として決定されることになるが、Ｓ１８１６の処理で生成された描画情報ｚには、排紙先として決定された各排紙ＢＯＸ１２５の排紙ＢＯＸ識別ＩＤと、その各排紙ＢＯＸ１２５への排紙枚数とがそれぞれ対応付けられて含まれる。そのため、このような場合であっても、エンジン制御部１２１は、どの排紙ＢＯＸ１２５に何枚の印刷物を排紙すべきかを認識することができる。
【０１４７】
エンジン制御部１２１は、印刷制御部１１１から描画情報ｚを受信すると、受信した描画情報ｚに基づいてエンジン１２０に含まれる各部を制御することにより画像形成出力を実行させて、排紙ＢＯＸ１２５−Ｗに印刷物を排紙させる（Ｓ１８１７）。そして、エンジン制御部１２１は、排紙ＢＯＸ１２５−Ｗへの排紙枚数がその排紙ＢＯＸ１２５−Ｗの収容可能枚数に到達する前に描画情報ｚに基づく画像形成出力の実行が完了したか否かを判断する（Ｓ１８１８）。
【０１４８】
エンジン制御部１２１は、Ｓ１８１８の判断処理において、描画情報ｚに基づく画像形成出力の実行が完了する前に排紙ＢＯＸ１２５−Ｗへの排紙枚数がその排紙ＢＯＸ１２５−Ｗの収容可能枚数に到達したと判断した場合（Ｓ１８１８／ＮＯ）、エンジン１２０に含まれる各部を制御することにより、実行ジョブリストに登録されている他の排紙ＢＯＸ識別ＩＤに対応する排紙ＢＯＸ１２５に排紙先を切り替え、その排紙ＢＯＸ１２５に排紙させる（Ｓ１８１９）。以下では、切り替え後の排紙先である排紙ＢＯＸ１２５を排紙ＢＯＸ１２５−Ｗｐとする。
【０１４９】
そして、エンジン制御部１２１は、切り替え後の排紙先である排紙ＢＯＸ１２５−Ｗｐで以って、改めてＳ１８１８〜Ｓ１８１９の処理を行う。従って、Ｓ１８１８の判断処理が排紙先の切り替え後に行われる場合には、切り替え後の排紙先である排紙ＢＯＸ１２５−Ｗｐの収容可能枚数が到達の判断対象となる。
【０１５０】
このようにして、Ｓ１８１８〜Ｓ１８１９の処理ループは、エンジン制御部１２１が、Ｓ１８１８の判断処理において、排紙ＢＯＸ１２５−Ｗｐへの排紙枚数がその排紙ＢＯＸ１２５の収容可能枚数に到達する前に描画情報ｚに基づく画像形成出力の実行が完了したと判断する（Ｓ１８１８／ＹＥＳ）まで繰り返される。従って、本実施形態に係る画像形成装置１は、印刷ジョブｚを実行した際の印刷物を一つの排紙ＢＯＸ１２５に収容することができない場合には、複数の排紙ＢＯＸ１２５に分散して収容することができる。
【０１５１】
一方、エンジン制御部１２１は、Ｓ１８１８の判断処理において、排紙ＢＯＸ１２５−Ｗへの排紙枚数がその排紙ＢＯＸ１２５−Ｗの収容可能枚数に到達する前に描画情報ｚに基づく画像形成出力の実行が完了したと判断した場合には（Ｓ１８１８／ＹＥＳ）、印刷ジョブｚに係る実行完了通知を印刷制御部１１１に対して発行する。尚、上述したように、Ｓ１８１８における判断処理では、排紙先がＳ１８１９の処理で切り替えられていれば、切り替え後の排紙先である排紙ＢＯＸ１２５−Ｗｐの収容可能枚数が到達の判断対象となる。
【０１５２】
印刷制御部１１１は、エンジン制御部１２１から印刷ジョブｚに係る実行完了通知を受け取ると、実行ジョブリストから印刷ジョブｚ及び排紙ＢＯＸ１２５−Ｗに係る実行ジョブ情報を全て削除する（Ｓ１８２０）。従って、このときの実行ジョブリストには何も登録されていないことになる。尚、後述するように、ここで印刷された印刷物は一旦破棄されて破棄された後に再印刷される可能性があるため、この時点では印刷ジョブｚは記憶部１３０から削除しないでそのまま記憶された状態にしておく。
【０１５３】
このようにして、本実施形態に係る画像形成装置１は、印刷ジョブｚに基づく画像形成出力を実行し、施錠可能な排紙ＢＯＸ１２５に印刷物を排紙する際の処理を終了する。
【０１５４】
次に、本実施形態に係る排紙ＢＯＸ１２５に収容している印刷物が利用者により取り出される際の処理について、図２０を参照して説明する。図２０は、本実施形態に係る排紙ＢＯＸ１２５に収容している印刷物が利用者により取り出される際の処理を説明するためのフローチャートである。
【０１５５】
図２０に示すように、本実施形態に係る排紙ＢＯＸ１２５に収容している印刷物が利用者により取り出される際にはまず、印刷制御部１１１は、利用者認証Ｉ／Ｆ１６０に利用者によりかざされた利用者認証カードを読み取らせることにより、その利用者認証カードから認証情報を取得し、取得した認証情報と利用者リストに登録されている認証情報とを照合することにより利用者認証を行う（Ｓ２００１）
そして、印刷制御部１１１は、Ｓ２００１の認証処理で利用者リストに登録された利用者であることを認証すると、その利用者の印刷物が収容されている排紙ＢＯＸ１２５を、排紙ＢＯＸ使用状況リストを参照して探し出し、その排紙ＢＯＸ１２５を開錠させるための開錠命令を生成して（Ｓ２００２）、エンジン制御部１２１に送信する。即ち、本実施形態においては、印刷制御部１１１が、利用者判断部として機能する。
【０１５６】
エンジン制御部１２１は、印刷制御部１１１から開錠命令を受信すると、受信した開錠命令に基づいてエンジン１２０に含まれる各部を制御することにより、開錠の対象となっている排紙ＢＯＸ１２５を開錠し（Ｓ２００３）、開錠完了通知を印刷制御部１１１に対して発行する。即ち、本実施形態においては、エンジン制御部１２１が施錠制御部として機能する。
【０１５７】
印刷制御部１１１は、エンジン制御部１２１から開錠完了通知を受信すると、どの排紙ＢＯＸ１２５が開錠されたのかを通知するための開錠通知画面をディスプレイパネル１４０に表示する（Ｓ２００４）。これにより、利用者は、どの排紙ＢＯＸ１２５に自身の印刷物が収容されているかを知ることができる。
【０１５８】
そして、エンジン制御部１２１は、開錠した排紙ＢＯＸ１２５が、開錠してから所定期間以内に開けられたか否かを判断する（Ｓ２００５）。エンジン制御部１２１は、Ｓ２００５の判断処理において、開錠した排紙ＢＯＸ１２５が、開錠してから所定期間以内に開けられたと判断した場合には（Ｓ２００５／ＹＥＳ）、開錠した排紙ＢＯＸ１２５が開けられてから所定期間以内に閉じられたか否かを判断する（Ｓ２００６）。
【０１５９】
エンジン制御部１２１は、Ｓ２００６の判断処理において、開錠した排紙ＢＯＸ１２５が開けられてから所定期間経過しても閉じられなかったと判断した場合には（Ｓ２００６／ＮＯ）、開錠した排紙ＢＯＸ１２５が開けられたまま放置された状態にあると判断して、その旨を警告するための開放警告通知を生成して印刷制御部１１１に対して発行する。印刷制御部１１１は、エンジン制御部１２１から開放警告通知を受け取ると、ディスプレイパネル１４０に開放警告画面を表示する（Ｓ２００７）。これにより、利用者は、排紙ＢＯＸ１２５を閉め忘れている等、自身が開けた排紙ＢＯＸ１２５が開放状態にあることを知ることができる。尚、このとき、画像形成装置１にスピーカー等の音を発生する装置が搭載されていれば、印刷制御部１１１は、スピーカーから警告音を発するように構成されていても良い。
【０１６０】
そして、エンジン制御部１２１は、開錠した排紙ＢＯＸ１２５が閉じられたことを検知すると（Ｓ２００８）、その旨を通知するための閉鎖通知を印刷制御部１１１に対して発行する。印刷制御部１１１は、エンジン制御部１２１から閉鎖通知を受け取ると、ディスプレイパネル１４０に表示していた開放警告画面を非表示にする（Ｓ２００９）。このとき、印刷制御部１１１は、警告音を発していればその警告音の発生も止める。これにより、利用者は、自身が開けて開放状態になっていた排紙ＢＯＸ１２５を閉じたことを確認することができる。
【０１６１】
エンジン制御部１２１は、開錠した排紙ＢＯＸ１２５が閉じられると、その排紙ＢＯＸ１２５に取り残された印刷物があるか否かを判断する（Ｓ２０１０）。エンジン制御部１２１は、Ｓ２０１０の判断処理において、開錠した排紙ＢＯＸ１２５に取り残された印刷物があると判断すると（Ｓ２０１０／ＹＥＳ）、その旨を警告するための残留警告通知を印刷制御部１１１に対して発行する。即ち、本実施形態においては、エンジン制御部１２１が、取出検知部として機能する。
【０１６２】
印刷制御部１１１は、エンジン制御部１２１から残留警告通知を受け取ると、ディスプレイパネル１４０に残留警告画面を表示する（Ｓ２０１１）。これにより、利用者は、開錠された排紙ＢＯＸ１２５から自身の印刷物の全て若しくは一部を取り忘れていることを知ることができる。尚、このとき、画像形成装置１にスピーカー等の音を発生する装置が搭載されていれば、印刷制御部１１１は、スピーカーから警告音を発するように構成されていても良い。
【０１６３】
そして、エンジン制御部１２１は、開錠した排紙ＢＯＸ１２５が再度開けられたことを検知すると（Ｓ２０１２）、その旨を通知するための再開通知を印刷制御部１１１に対して発行する。印刷制御部１１１は、エンジン制御部１２１から再開通知を受け取ると、ディスプレイパネル１４０に表示していた残留警告画面を非表示にする（Ｓ２０１３）。これにより、利用者は取り忘れていた自身の印刷物を取り出すことができる。このとき、印刷制御部１１１は、警告音を発していればその警告音の発生も止める。その後、画像形成装置１は、Ｓ２００６と同様の判断処理を行う。
【０１６４】
一方、エンジン制御部１２１は、Ｓ２００５の判断処理において、開錠した排紙ＢＯＸ１２５が、開錠してから所定期間経過しても開かれなかったと判断した場合（Ｓ２００５／ＮＯ）、若しくは、Ｓ２０１０の判断処理において、開錠した排紙ＢＯＸ１２５に取り残された印刷物がないと判断した場合（Ｓ２０１０）には、開錠した排紙ＢＯＸ１２５を再び施錠し（Ｓ２０１４）、その旨を通知するための施錠完了通知を印刷制御部１１１に対して発行する。従って、本実施形態に係る画像形成装置１によれば、開錠した排紙ＢＯＸ１２５を一度も開けることなく利用者がその場から立ち去った場合であっても、再びその排紙ＢＯＸ１２５を施錠することで印刷物に対するセキュリティを確保することができる。
【０１６５】
印刷制御部１１１は、エンジン制御部１２１から施錠完了通知を受け取ると、排紙ＢＯＸ使用状況リストを参照して、開錠した排紙ＢＯＸ１２５に収容されていた印刷物を印刷する際に実行された印刷ジョブを記憶部１３０から削除する（Ｓ２０１５）。また、印刷制御部１１１は、印刷ジョブの削除と共に、排紙ＢＯＸ使用状況リストに登録されている各排紙ＢＯＸ１２５の排紙ＢＯＸ使用情報のうち、Ｓ２０１４で施錠された排紙ＢＯＸ１２５に係る排紙ＢＯＸ使用情報を削除して使用状況に未使用を登録することで排紙ＢＯＸ使用状況リストを更新する（Ｓ２０１６）。これにより、Ｓ２０１４で施錠された排紙ＢＯＸ１２５は、未使用の排紙ＢＯＸ１２５として排紙ＢＯＸ使用状況リストに登録されることになる。
【０１６６】
このようにして、本実施形態に係る排紙ＢＯＸ１２５に収容している印刷物が利用者により取り出される際の処理を終了する。尚、破棄された印刷物を破棄ＢＯＸ１２６から回収する場合も、図２０において説明した処理と同様の処理が行われる。
【０１６７】
次に、本実施形態に係る画像形成装置１が、破棄ＢＯＸ１２６に破棄された印刷物についての印刷ジョブを再実行する際の処理について、図２１を参照して説明する。図２１は、本実施形態に係る画像形成装置１が、破棄ＢＯＸ１２６に破棄された印刷物についての印刷ジョブを再実行する際の処理を説明するためのフローチャートである。尚、本実施形態において、破棄ＢＯＸ１２６に破棄された印刷物についての印刷ジョブの再実行は、図１９を参照して説明したように、破棄通知メールにおいて、所定期間経過後にいずれの対処方法も選択されていない場合に、排紙ＢＯＸ１２５のいずれかが空いた時点で行われる。
【０１６８】
図２１に示すように、本実施形態に係る画像形成装置１が、破棄ＢＯＸ１２６に破棄された印刷物についての印刷ジョブを再実行する際にはまず、印刷制御部１１１は、待機ジョブリストを参照して実行待ちの印刷ジョブがないことを検知すると（Ｓ２１０１）、再実行処理プログラム設定情報を参照して記憶部１３０から再実行処理プログラムを読み出す（Ｓ２１０２）。尚、本実施形態に係る画像形成装置１は、破棄された印刷物についての印刷ジョブよりも、新たに受信した印刷ジョブの方が優先して実行されるため、待機ジョブがある場合には、破棄された印刷物についての印刷ジョブの再実行は行われないものとするが、この限りではない。
【０１６９】
そして、印刷制御部１１１は、読み出した再実行処理プログラムを実行して再実行する印刷ジョブを決定し（Ｓ２１０３）、再実行すると決定された印刷ジョブの印刷ジョブＩＤが登録されている破棄ＢＯＸ情報を破棄ＢＯＸリストから削除する（Ｓ２１０４）。
【０１７０】
印刷制御部１１１が、破棄ＢＯＸ情報を破棄ＢＯＸリストから削除すると、再実行すると決定された印刷ジョブの印刷ジョブ情報における印刷枚数をエンジン制御部１２１に通知する。
【０１７１】
エンジン制御部１２１は、印刷制御部１１１から通知された印刷枚数に基づき、その印刷ジョブを実行した際の印刷物を全て収容できるだけの空きが排紙ＢＯＸ１２５にできたと判断すると（Ｓ２１０５）、その旨を通知するための実行許可通知を印刷制御部１１１に対して発行する。
【０１７２】
印刷制御部１１１が、エンジン制御部１２１から実行許可通知を受け取ると、本実施形態に係る画像形成装置１は、図１８において説明したＳ１８０１以降の処理と同様の処理を行うことで再印刷を行う。このようにして、本実施形態に係る画像形成装置１は、破棄ＢＯＸ１２６に破棄された印刷物についての印刷ジョブを再実行する際の処理を終了する。
【０１７３】
次に、本実施形態に係る画像形成装置１が、クライアント端末２から強制再印刷要求を受信した際の処理について、図２２を参照して説明する。図２２は、本実施形態に係る画像形成装置１が、クライアント端末２から強制再印刷要求を受信した際の処理を説明するためのフローチャートである。
【０１７４】
図２２に示すように、本実施形態に係る画像形成装置１が、クライアント端末２から強制再印刷要求を受信した際にはまず、印刷制御部１１１は、ネットワークＩ／Ｆ１５０を介してその強制再印刷要求を受信する（Ｓ２２０１）。そして、印刷制御部１１１は、受信した強制再印刷要求に含まれる印刷ジョブＩＤと同一の印刷ジョブＩＤが登録されている破棄ＢＯＸ情報を破棄ＢＯＸリストから削除する（Ｓ２２０２）。
【０１７５】
印刷制御部１１１が、破棄ＢＯＸ情報を破棄ＢＯＸリストから削除すると、本実施形態に係る画像形成装置１は、図１８において説明したＳ１８０１以降の処理と同様の処理を行うことで強制再印刷を行う。このようにして、本実施形態に係る画像形成装置１は、クライアント端末２から強制再印刷要求を受信した際の処理を終了する。
【０１７６】
次に、本実施形態に係る画像形成装置１が、クライアント端末２から放置要求を受信した際の処理について、図２３を参照して説明する。図２３は、本実施形態に係る画像形成装置１が、クライアント端末２から放置要求を受信した際の処理を説明するためのフローチャートである。
【０１７７】
図２３に示すように、本実施形態に係る画像形成装置１が、クライアント端末２から放置要求を受信した際にはまず、印刷制御部１１１は、ネットワークＩ／Ｆ１５０を介してその放置要求を受信する（Ｓ２３０１）。そして、印刷制御部１１１は、受信した放置要求に含まれる印刷ジョブＩＤと同一の印刷ジョブＩＤが登録されている破棄ＢＯＸ情報を破棄ＢＯＸリストから削除する（Ｓ２３０２）。このようにして、本実施形態に係る画像形成装置１は、クライアント端末２から放置要求を受信した際の処理を終了する。尚、図１９を参照して説明したように、本実施形態に係る画像形成装置１は、放置要求を受信した場合、所定期間経過後に破棄された印刷物は処分されるため、破棄ＢＯＸ１２６が満杯になることを防ぐことができる。
【０１７８】
以上、説明したように、本実施形態に係る画像形成装置１においては、施錠可能な排紙ＢＯＸ１２５の全てに印刷物が収容されている状態において新たに印刷ジョブを受信した場合、施錠可能な排紙ＢＯＸ１２５に収容されている印刷物を破棄ＢＯＸ１２６に破棄することで施錠可能な排紙ＢＯＸ１２５に空きをつくることを要旨の一つとしている。これにより、本実施形態に係る画像形成装置１は、施錠可能な排紙ＢＯＸ１２５の全てに印刷物を収容している状態において新たに印刷ジョブを受信した場合であっても、すぐにその印刷ジョブを実行することができる上、その印刷ジョブによる印刷物を施錠可能な排紙ＢＯＸ１２５に排紙することができる。従って、本実施形態に係る画像形成装置１によれば、画像形成出力を実行する場合において、印刷物に対するセキュリティを確保しつつ利用者の待ち時間を短縮させることが可能となる。
【符号の説明】
【０１７９】
１  画像形成装置
２  クライアント端末
３  勤怠管理システム
４  ネットワーク
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１１０  コントローラ
１１１  印刷制御部
１１２  画像処理部
１２０  エンジン
１２１  エンジン制御部
１２２  給紙トレイ
１２３  プロッタユニット
１２４  排紙トレイ
１２５  排紙ＢＯＸ
１２６  破棄ＢＯＸ
１２７  ＡＤＦ
１２８  スキャナユニット
１２９  排紙トレイ
１３０  記憶部
１４０  ディスプレイパネル
１５０  ネットワークＩ／Ｆ
１６０  利用者認証Ｉ／Ｆ
【先行技術文献】
【特許文献】
【０１８０】
【特許文献１】特開２００６−２４７９０７号公報
【特許文献２】特開２００６−００１２４１号公報
【図１】
2015039787.tif 000003
【図２】
2015039787.tif 000004
【図３】
2015039787.tif 000005
【図４】
2015039787.tif 000006
【図５】
2015039787.tif 000007
【図６】
2015039787.tif 000008
【図７】
2015039787.tif 000009
【図８】
2015039787.tif 000010
【図９】
2015039787.tif 000011
【図１０】
2015039787.tif 000012
【図１１】
2015039787.tif 000013
【図１２】
2015039787.tif 000014
【図１３】
2015039787.tif 000015
【図１４】
2015039787.tif 000016
【図１５】
2015039787.tif 000017
【図１６】
2015039787.tif 000018
【図１７】
2015039787.tif 000019
【図１８】
2015039787.tif 000020
【図１９】
2015039787.tif 000021
【図２０】
2015039787.tif 000022
【図２１】
2015039787.tif 000023
【図２２】
2015039787.tif 000024
【図２３】
2015039787.tif 000025